(57)【特許請求の範囲】
【請求項１】
ロケーションサービスとポジショニングをサポートするための方法であって、
モバイルオリジネートされるロケーションリクエスト（ＭＯ−ＬＲ）メッセージに基づいて、発展型サービングモバイルロケーションセンタ（Ｅ−ＳＭＬＣ）においてモビリティ管理エンティティ（ＭＭＥ）から前記ＭＭＥと前記Ｅ−ＳＭＬＣとの間のインタフェースを介してロケーションリクエストを受信することと、
前記ロケーションリクエストに応じて前記Ｅ−ＳＭＬＣとユーザ機器（ＵＥ）の間でポジショニングプロシージャを実行することと、
前記ポジショニングプロシージャの後で前記ＭＭＥに対して前記Ｅ−ＳＭＬＣからのロケーションレスポンスを前記ＭＭＥと前記Ｅ−ＳＭＬＣとの間のインタフェースを介して送信することと、
を備える方法。
【請求項２】
前記モバイルオリジネートされるロケーションリクエスト（ＭＯ−ＬＲ）メッセージは、まず無線リソース制御（ＲＲＣ）アップリンク情報トランスファメッセージの中で、前記ユーザ機器（ＵＥ）によってｅＮＢに対して送信され、
前記モビリティ管理エンティティ（ＭＭＥ）は、ノンアクセスストラタム（ＮＡＳ）トランスポートメッセージを介して前記ｅＮＢから前記モバイルオリジネートされるロケーションリクエスト（ＭＯ−ＬＲ）を受信した、請求項１に記載の方法。
【請求項３】
前記モビリティ管理エンティティ（ＭＭＥ）は、ノンアクセスストラタム（ＮＡＳ）トランスポートメッセージを介して（ＭＯ−ＬＲ）レスポンスメッセージの中で、前記ロケーションレスポンスをｅＮＢに対して送信し、
前記ｅＮＢは、それが前記ＭＭＥから受信した前記（ＭＯ−ＬＲ）レスポンスメッセージを、無線リソース制御（ＲＲＣ）ダウンリンク情報トランスファメッセージを介して前記ＵＥに対して送信する、請求項１に記載の方法。
【請求項４】
前記モビリティ管理エンティティ（ＭＭＥ）は、前記発展型サービングモバイルロケーションセンタ（Ｅ−ＳＭＬＣ）に対して前記ロケーションリクエストを送信する前に、前記リクエストのためのＵＥ加入をベリファイした、請求項１に記載の方法。
【請求項５】
前記ロケーション要求が、ＬＣＳのサービス品質（ＱｏＳ）、インターナショナルモバイル加入者識別情報（ＩＭＳＩ）、プライバシー関連情報、リクエストされているロケーション情報のタイプから成るグループから選択された少なくとも１つを備える、請求項１に記載の方法。
【請求項６】
ロケーションサービスとポジショニングをサポートするための装置であって、
モバイルオリジネートされるロケーションリクエスト（ＭＯ−ＬＲ）メッセージに基づいて、発展型サービングモバイルロケーションセンタ（Ｅ−ＳＭＬＣ）においてモビリティ管理エンティティ（ＭＭＥ）から前記ＭＭＥと前記Ｅ−ＳＭＬＣとの間のインタフェースを介してロケーションリクエストを受信するための手段と、
前記ロケーションリクエストに応じて前記Ｅ−ＳＭＬＣとユーザ機器（ＵＥ）の間でポジショニングプロシージャを実行するための手段と、
前記ポジショニングプロシージャの後で、前記ＭＭＥと前記Ｅ−ＳＭＬＣとの間のインタフェースを介して前記ＭＭＥに対して前記Ｅ−ＳＭＬＣからのロケーションレスポンスを送信するための手段と、
を備える装置。
【請求項７】
前記モバイルオリジネートされるロケーションリクエスト（ＭＯ−ＬＲ）メッセージは、まず無線リソース制御（ＲＲＣ）アップリンク情報トランスファメッセージの中で、前記ユーザ機器（ＵＥ）によってｅＮＢに対して送信され、
前記モビリティ管理エンティティ（ＭＭＥ）は、ノンアクセスストラタム（ＮＡＳ）トランスポートメッセージを介して前記ｅＮＢから前記モバイルオリジネートされるロケーションリクエスト（ＭＯ−ＬＲ）を受信した、請求項６に記載の装置。
【請求項８】
前記モビリティ管理エンティティ（ＭＭＥ）は、ノンアクセスストラタム（ＮＡＳ）トランスポートメッセージを介して（ＭＯ−ＬＲ）レスポンスメッセージの中で、前記ロケーションレスポンスをｅＮＢに対して送信し、
前記ｅＮＢは、それが前記ＭＭＥから受信した前記（ＭＯ−ＬＲ）レスポンスメッセージを、無線リソース制御（ＲＲＣ）ダウンリンク情報トランスファメッセージを介して前記ＵＥに対して送信する、請求項６に記載の装置。
【請求項９】
前記モビリティ管理エンティティ（ＭＭＥ）は、前記発展型サービングモバイルロケーションセンタ（Ｅ−ＳＭＬＣ）に対して前記ロケーションリクエストを送信する前に、前記リクエストのためのＵＥ加入をベリファイした、請求項６に記載の装置。
【請求項１０】
前記ロケーション要求が、ＬＣＳのサービス品質（ＱｏＳ）、インターナショナルモバイル加入者識別情報（ＩＭＳＩ）、プライバシー関連情報、リクエストされているロケーション情報のタイプから成るグループから選択された少なくとも１つを備える、請求項６に記載の装置。
【請求項１１】
ロケーションサービスとポジショニングをサポートするための装置であって、
モバイルオリジネートされるロケーションリクエスト（ＭＯ−ＬＲ）メッセージに基づいて、発展型サービングモバイルロケーションセンタ（Ｅ−ＳＭＬＣ）においてモビリティ管理エンティティ（ＭＭＥ）から前記ＭＭＥと前記Ｅ−ＳＭＬＣとの間のインタフェースを介してロケーションリクエストを受信するように、
前記ロケーションリクエストに応じて前記Ｅ−ＳＭＬＣとユーザ機器（ＵＥ）の間でポジショニングプロシージャを実行するように、
前記ポジショニングプロシージャの後で、前記ＭＭＥと前記Ｅ−ＳＭＬＣとの間のインタフェースを介して前記ＭＭＥに対して前記Ｅ−ＳＭＬＣからのロケーションレスポンスを送信するように、
構成された少なくとも１つのプロセッサと、
前記少なくとも１つのプロセッサに結合されたメモリと
を備える装置。
【請求項１２】
ロケーションサービスとポジショニングをサポートするための方法であって、
モバイルオリジネートされるロケーションリクエスト（ＭＯ−ＬＲ）メッセージに基づいて、発展型サービングモバイルロケーションセンタ（Ｅ−ＳＭＬＣ）に対してモビリティ管理エンティティ（ＭＭＥ）からのロケーションリクエストを前記ＭＭＥと前記Ｅ−ＳＭＬＣとの間のインタフェースを介して送信することと；
ここにおいて、前記Ｅ−ＳＭＬＣとユーザ機器（ＵＥ）の間でポジショニングプロシージャは前記ロケーションリクエストに応じて実行され；
前記ポジショニングプロシージャの後で、前記ＭＭＥと前記Ｅ−ＳＭＬＣとの間のインタフェースを介して前記ＭＭＥにおいて前記Ｅ−ＳＭＬＣからのロケーションレスポンスを受信することと；
を備えている方法。
【請求項１３】
前記モバイルオリジネートされるロケーションリクエスト（ＭＯ−ＬＲ）メッセージは、まず無線リソース制御（ＲＲＣ）アップリンク情報トランスファメッセージの中で、前記ユーザ機器（ＵＥ）によってｅＮＢに対して送信され、
前記モビリティ管理エンティティ（ＭＭＥ）は、ノンアクセスストラタム（ＮＡＳ）トランスポートメッセージを介して前記ｅＮＢから前記モバイルオリジネートされるロケーションリクエスト（ＭＯ−ＬＲ）を受信した、請求項１２に記載の方法。
【請求項１４】
前記モビリティ管理エンティティ（ＭＭＥ）は、ノンアクセスストラタム（ＮＡＳ）トランスポートメッセージを介して（ＭＯ−ＬＲ）レスポンスメッセージの中で、前記ロケーションレスポンスをｅＮＢに対して送信し、
前記ｅＮＢは、それが前記ＭＭＥから受信した前記（ＭＯ−ＬＲ）レスポンスメッセージを、無線リソース制御（ＲＲＣ）ダウンリンク情報トランスファメッセージを介して前記ＵＥに対して送信する、請求項１２に記載の方法。
【請求項１５】
前記モビリティ管理エンティティ（ＭＭＥ）は、前記発展型サービングモバイルロケーションセンタ（Ｅ−ＳＭＬＣ）に対して前記ロケーションリクエストを送信する前に、前記リクエストのためのＵＥ加入をベリファイした、請求項１２に記載の方法。
【請求項１６】
前記ロケーション要求が、ＬＣＳのサービス品質（ＱｏＳ）、インターナショナルモバイル加入者識別情報（ＩＭＳＩ）、プライバシー関連情報、リクエストされているロケーション情報のタイプから成るグループから選択された少なくとも１つを備える、請求項１２に記載の方法。
【請求項１７】
ロケーションサービスとポジショニングをサポートするための装置であって、
モバイルオリジネートされるロケーションリクエスト（ＭＯ−ＬＲ）メッセージに基づいて、発展型サービングモバイルロケーションセンタ（Ｅ−ＳＭＬＣ）に対してモビリティ管理エンティティ（ＭＭＥ）からのロケーションリクエストを前記ＭＭＥと前記Ｅ−ＳＭＬＣとの間のインタフェースを介して送信するための手段と；
ここにおいて、前記Ｅ−ＳＭＬＣとユーザ機器（ＵＥ）の間でポジショニングプロシージャは前記ロケーションリクエストに応じて実行され；
前記ポジショニングプロシージャの後で、前記ＭＭＥと前記Ｅ−ＳＭＬＣとの間のインタフェースを介して前記ＭＭＥにおいて前記Ｅ−ＳＭＬＣからのロケーションレスポンスを受信するための手段と；
を備える装置。
【請求項１８】
前記モバイルオリジネートされるロケーションリクエスト（ＭＯ−ＬＲ）メッセージは、まず無線リソース制御（ＲＲＣ）アップリンク情報トランスファメッセージの中で、前記ユーザ機器（ＵＥ）によってｅＮＢに対して送信され、
前記モビリティ管理エンティティ（ＭＭＥ）は、ノンアクセスストラタム（ＮＡＳ）トランスポートメッセージを介して前記ｅＮＢから前記モバイルオリジネートされるロケーションリクエスト（ＭＯ−ＬＲ）を受信した、請求項１７に記載の装置。
【請求項１９】
前記モビリティ管理エンティティ（ＭＭＥ）は、ノンアクセスストラタム（ＮＡＳ）トランスポートメッセージを介して（ＭＯ−ＬＲ）レスポンスメッセージの中で、前記ロケーションレスポンスをｅＮＢに対して送信し、
前記ｅＮＢは、それが前記ＭＭＥから受信した前記（ＭＯ−ＬＲ）レスポンスメッセージを、無線リソース制御（ＲＲＣ）ダウンリンク情報トランスファメッセージを介して前記ＵＥに対して送信する、請求項１７に記載の装置。
【請求項２０】
前記モビリティ管理エンティティ（ＭＭＥ）は、前記発展型サービングモバイルロケーションセンタ（Ｅ−ＳＭＬＣ）に対して前記ロケーションリクエストを送信する前に、前記リクエストのためのＵＥ加入をベリファイした、請求項１７に記載の装置。
【請求項２１】
前記ロケーション要求が、ＬＣＳのサービス品質（ＱｏＳ）、インターナショナルモバイル加入者識別情報（ＩＭＳＩ）、プライバシー関連情報、リクエストされているロケーション情報のタイプから成るグループから選択された少なくとも１つを備える、請求項１７に記載の装置。
【請求項２２】
ロケーションサービスとポジショニングをサポートするための装置であって、
モバイルオリジネートされるロケーションリクエスト（ＭＯ−ＬＲ）メッセージに基づいて、発展型サービングモバイルロケーションセンタ（Ｅ−ＳＭＬＣ）に対してモビリティ管理エンティティ（ＭＭＥ）からのロケーションリクエストを前記ＭＭＥと前記Ｅ−ＳＭＬＣとの間のインタフェースを介して送信するように、
ここにおいて、前記Ｅ−ＳＭＬＣとユーザ機器（ＵＥ）の間でポジショニングプロシージャは前記ロケーションリクエストに応じて実行され；
前記ポジショニングプロシージャの後で、前記ＭＭＥと前記Ｅ−ＳＭＬＣとの間のインタフェースを介して前記ＭＭＥにおいて前記Ｅ−ＳＭＬＣからのロケーションレスポンスを受信するように
構成された少なくとも１つのプロセッサと、
前記少なくとも１つのプロセッサに結合されたメモリと
を備える、装置。
【請求項２３】
コンピュータに、請求項１乃至５、および１２乃至１６の１に記載の方法を実行させるプログラム。
【請求項２４】
コンピュータに、請求項１乃至５、および１２乃至１６の１に記載の方法を実行させるプログラムが記録されたコンピュータ読取可能記録媒体。
【発明の詳細な説明】
【優先権主張】
【０００１】
(米国特許法の下の優先権主張)
本願は、２００８年８月１８日に出願された仮出願番号第６１／０８９，７９５号と、２００９年１月５日に出願された仮出願番号第６１／１４２，５５６号の優先権を主張しており、双方とも「ＬＴＥワイヤレスアクセスをサポートする制御プレーンソリューション(Control Plane Location Solution to Support LTE Wireless Access)」と題され、ここでの譲受人に譲渡され、ここにおいて参照により明示的にここで組み込まれている。
【背景】
【０００２】
Ｉ．分野
本開示は、一般的には通信に関し、より具体的には、ユーザ機器（ＵＥ）のためのロケーションサービス(location services)（ＬＣＳ）をサポートするための技術に関する。
【０００３】
ＩＩ．背景
ＵＥ、例えばセルラ電話のロケーションを知ることは、しばしば望ましく、時折必要である。用語「ロケーション(location)」、「ポジション(position)」は、同意語で、ここにおいては、互換性をもって使用されている。例えば、ＬＣＳクライアントは、ＵＥのロケーションを知ることを望み、ＵＥのロケーションをリクエストするためにロケーションセンタと通信することができる。ロケーションセンタとＵＥは、その後で、ＵＥについてのロケーション推定値(location estimate)を得るために、必要であれば、メッセージを交換することができる。その後で、ロケーションセンタは、ＬＣＳクライアントに、ロケーション推定値を戻すことができる。
【０００４】
ワイヤレスネットワークは、ロケーションサービス(location services)とポジショニング(positioning)をサポートすることができる。ポジショニングとは、ターゲットＵＥの地理的ロケーションを決定する機能を指す。ロケーションサービスは、ロケーション情報に関連するまたはロケーション情報に基づいたいずれのサービスを指すことができ、そしてそれは、ＵＥのロケーションに関連するいずれの情報、例えば測定値、ロケーション推定値、などを含むことができる。
【０００５】
ワイヤレスネットワークは、ロケーションサービスとポジショニングをサポートするために、制御プレーンソリューション(control plane solution)またはユーザプレーンソリューション(user plane solution)をインプリメントすることができる。制御プレーンソリューションでは、ロケーションサービスとポジショニングをサポートしているメッセージは、さまざまなネットワークエンティティ間でトランスファされるシグナリングの一部として、一般的にはネットワーク特有のプロトコル、インタフェース、及びシグナリングメッセージで、搬送されることができる。ユーザプレーンソリューションでは、ロケーションサービスとポジショニングをサポートしているメッセージは、様々なネットワークエンティティ間でトランスファされるデータの一部として、一般的には伝送制御プロトコル (Transmission Control Protocol)（ＴＣＰ）とインターネットプロトコル（ＩＰ）のような標準データプロトコルで、搬送されることができる。制御プレーンソリューションは、ネットワークベースのポジショニングをイネーブルにすることができるので好まれるが、ユーザプレーンソリューションによってサポートされていない。さらに、制御プレーンソリューションは、既存のソリューションと互換性をより有しており、任意のＵＥを用いて使用可能であってもよく、より信頼性がある、及び／または、より正確であることができる。
【発明の概要】
【０００６】
ロケーションサービスとポジショニングのための制御プレーンソリューションをサポートする技術がここにおいて説明されている。一態様において、発展型サービングロケーションセンタ(Evolved Serving Mobile Location Center)（Ｅ−ＳＭＬＣ）は、ＵＥのためのロケーションサービスとポジショニングをサポートするために、モビリティ管理エンティティ(Mobility Management Entity)（ＭＭＥ）と通信することができる。一設計では、Ｅ−ＳＭＬＣは、ＭＭＥからロケーションリクエストを受信することができ、ロケーションリクエストに応じてＵＥでポジショニングプロシージャを実行することができる。Ｅ−ＳＭＬＣは、ポジショニングプロシージャを終えた後で、ＭＭＥに対して、ロケーションレスポンスを送信することができる。
【０００７】
一設計では、ＵＥ支援(UE-assisted)のまたはＵＥベース(UE-based)のポジショニングプロシージャについては、Ｅ−ＳＭＬＣは、ＵＥに対して送るために(for forwarding)、ＭＭＥに対してダウンリンクポジショニングメッセージ(downlink positioning message)を送信することができる。Ｅ−ＳＭＬＣは、ＵＥによって送信され、ＭＭＥによって送られるアップリンクポジショニングメッセージ(uplink positioning message)をその後で受信することができる。ダウンリンクポジショニングメッセージは、ＵＥからロケーション情報（例えば測定値、ロケーション推定値など）をリクエストすることができ、そして、ＵＥのための支援データ(assistance data)、ＵＥ機能のためのリクエスト、等を含むことができる。アップリンクポジショニングメッセージは、リクエストされるロケーション情報を含むことができる。ダウンリンク及びアップリンクポジショニングメッセージは、より低い層において、他のメッセージにカプセル化されることができる。
【０００８】
別の設計では、ネットワークベースのポジショニングプロシージャについては、Ｅ−ＳＭＬＣは、発展型ノードＢ(evolved Node B)（ｅＮＢ）に対して送るために、ＭＭＥに対してネットワークポジショニングリクエストメッセージ(network positioning request message)を送信することができる。Ｅ−ＳＭＬＣは、ｅＮＢによって送信され、ＭＭＥによって送られるネットワークポジショニングレスポンスメッセージ(network positioning response message)をその後で受信することができる。ネットワークポジショニングリクエストメッセージは、ｅＮＢからロケーション情報をリクエストすることができ、ネットワークポジショニングレスポンスメッセージは、リクエストされるロケーション情報を含むことができる。ネットワークポジショニングリクエストおよびレスポンスメッセージは、より低い層において、他のメッセージにカプセル化されることができる。
【０００９】
本開示の様々な態様及び特徴は、下記に詳細に記載されている。
【図面の簡単な説明】
【００１０】
【図１】図１、２および３は、３つのネットワークアーキテクチャのブロック図を示す。
【図２】図１、２および３は、３つのネットワークアーキテクチャのブロック図を示す。
【図３】図１、２および３は、３つのネットワークアーキテクチャのブロック図を示す。
【図４Ａ】図４Ａおよび４Ｂは、様々なネットワークエンティティにおける例示的なプロトコルスタックを示す。
【図４Ｂ】図４Ａおよび４Ｂは、様々なネットワークエンティティにおける例示的なプロトコルスタックを示す。
【図５】図５は、モバイルターミネートのロケーションリクエストプロシージャのための呼び出しフローを示す。
【図６】図６は、モバイルオリジネートのロケーションリクエストプロシージャのための呼び出しフローを示す。
【図７】図７は、緊急呼び出しのための呼び出しフローを示す。
【図８】図８は、ＵＥ支援またはＵＥベースのポジショニングプロシージャのための呼び出しフローを示す。
【図９】図９は、ネットワークベースのポジショニングプロシージャのための呼び出しフローを示す。
【図１０】図１０、１１および１２は、それぞれ、Ｅ−ＳＭＬＣ、ＭＭＥおよびＵＥによる、ロケーションサービスとポジショニングをサポートするためのプロセスを示す。
【図１１】図１０、１１および１２は、それぞれ、Ｅ−ＳＭＬＣ、ＭＭＥおよびＵＥによる、ロケーションサービスとポジショニングをサポートするためのプロセスを示す。
【図１２】図１０、１１および１２は、それぞれ、Ｅ−ＳＭＬＣ、ＭＭＥおよびＵＥによる、ロケーションサービスとポジショニングをサポートするためのプロセスを示す。
【図１３】図１３は、様々なネットワークエンティティのブロック図を示す。
【詳細な説明】
【００１１】
ここにおいて説明される制御プレーンソリューションは、様々なワイヤレスネットワークに使用されることができ、そしてそれは、様々な無線技術をインプリメントすることができる。例えば、制御プレーンソリューションは、発展型ユニバーサル地上無線アクセス（Ｅ−ＵＴＲＡ）をインプリメントすることができるロングタームエボリューション（ＬＴＥ）ネットワークに使用されることができる。ＬＴＥは、３ＧＰＰ発展型パケットシステム（ＥＰＳ）の一部である。ＬＴＥ、Ｅ−ＵＴＲＡ及びＥＰＳは、「第３世代共同プロジェクト(3rd Generation Partnership Project)」（３ＧＰＰ）と称する組織の文書の中で説明されている。制御プレーンソリューションはまた、他のワイヤレスネットワークと他の無線技術に使用されることができる。
【００１２】
ここにおいて説明される制御プレーンソリューションはまた、様々なネットワークアーキテクチャでサポートされることができる。各ネットワークアーキテクチャは、特定の方法で結合されることができる１セットのネットワークエンティティと関連づけられることができ、様々なサービスを提供するために特定のインタフェースを介して通信することができる。いくつかの例示的なネットワークアーキテクチャが下記で説明されている。
【００１３】
図１は、第１のネットワークアーキテクチャ１００のブロック図を示しており、そしてそれはＬＴＥネットワークにも適している。ＵＥ１１０は、通信サービスを得るために、無線アクセスネットワーク（ＲＡＮ）においてｅＮＢ１２０と通信することができる。ＲＡＮは、簡潔のために図１で図示されていない他のネットワークエンティティを含むことができ、また、発展型ユニバーサル地上無線アクセスネットワーク（Ｅ−ＵＴＲＡＮ）と呼ばれてもよい。ｅＮＢ１２０はまた、ノードＢ、基地局、アクセスポイントなどと呼ばれる。ＵＥ１１０はまた、モバイル局、端末、アクセス端末、加入者ユニット、局、などと呼ばれてもよい。ＵＥ１１０は、セルラ電話、携帯情報端末（ＰＤＡ）、ワイヤレスデバイス、ワイヤレスモデム、ワイヤレスルータ、ラップトップコンピュータ、テレメトリデバイス、トラッキングデバイスであってもよい。
【００１４】
ＵＥ１１０はまた、１以上の衛星１９０から信号を受信し測定し、そして、衛星についての擬似範囲測定値を得ることができる。衛星１９０は、グローバルナビゲーション衛星システム（ＧＮＳＳ）の一部であってもよく、そしてそれは、米国のグローバルポジショニングシステム（ＧＰＳ）、ヨーロッパのガリレオシステム、ロシアのＧＬＯＮＡＳＳシステム、あるいは、他のあるＧＮＳＳ、であってもよい。ＵＥ１１０はまた、ｅＮＢから信号を測定することができ、タイミング測定値（例、到達時間(time of arrival)（ＴＯＡ）または観測される到達の時間差(observed time difference of arrival)（ＯＴＤＯＡ）、信号強度測定値、及び／またはｅＮＢのための信号品質測定値、を得ることができる。擬似距離測定値、タイミング測定値、信号強度測定値、及び／または、信号品質測定値がＵＥ１１０についてのロケーション推定値を導出するために使用されることができる。ロケーション推定値はまた、ポジション推定値、ポジション定置(position fix)と呼ばれることができる。
【００１５】
ｅＮＢ１２０は、ＭＭＥ１３０と通信することができ、そしてそれは、モビリティ管理、ゲートウェイ選択、認証、ベアラ管理などのような様々な制御機能を実行することができる。ＭＭＥ１３０は、Ｅ−ＳＭＬＣ１４０、ホーム加入者サーバ（ＨＳＳ）１５０、およびゲートウェイモバイルロケーションセンタ（ＧＭＬＣ）１６０と通信することができる。Ｅ−ＳＭＬＣ１４０は、ＵＥベースの、ＵＥ支援の、ネットワークベースの及び／またはネットワーク支援のポジショニング方法をサポートすることができ、１以上のＭＭＥをサポートすることができる。Ｅ−ＳＭＬＣ１４０はまた、ロケーションサーバ（ＬＳ）、スタンドアロンＳＭＬＣ（ＳＡＳ）などと呼ばれる。Ｅ−ＳＭＬＣ１４０はまた、ロケーションサービスをサポートするために、ＧＭＬＣ１６０と通信することができる。ＧＭＬＣ１６０は、ロケーションサービスをサポートするために様々な機能を実行し、外部のＬＣＳクライアント（例、ＬＣＳクライアント１７０）とインタフェース接続し、そして、加入者プライバシー、認証、認可、課金（billing）などのようなサービスを提供することができる。ＧＭＬＣ１６０は、ホームＧＭＬＣ（Ｈ−ＧＭＬＣ）、アクセスされるＧＭＬＣ(Visited-GMLC)（Ｖ−ＧＭＬＣ）、及び／またはリクエスティングＧＭＬＣ(Requesting-GMLC)（Ｒ−ＧＭＬＣ）を含むことができる。ロケーションルーティング関数（ＬＲＦ）１６２は、ＧＭＬＣ１６０と通信することができ、呼び出しＵＥのロケーションと関連づけられたパブリックセイフティアンサリングポイント(Public Safety Answering Point)（ＰＳＡＰ）に対してＩＰベースの緊急呼び出しをルーティングすることができる、または、ルーティングすることを助けることができる。ＨＳＳ１５０はまた、ＧＭＬＣ１６０と通信することができる。ＨＳＳ１５０は、ユーザのための加入者情報を保存し、ユーザの認証および認可を実行し、そして、リクエストされるときにユーザロケーションについての情報とルーティング情報を提供することができる。
【００１６】
サービングゲートウェイ（Ｓ−ＧＷ）１８０は、データルーティング(data routing)、フォワーディング(forwarding)、モビリティアンカリング(mobility anchoring)などのようなＵＥのためのＩＰデータトランスファに関連する様々な機能を実行することができる。パケットデータネットワーク（ＰＤＮ）ゲートウェイ１８２は、ＵＥのためのデータ接続の維持、ＩＰアドレス割り付けなどのような様々な機能を実行することができる。ＩＰマルチメディアサブシステム（ＩＭＳ）ネットワーク１８４は、ボイス・オーバー・ＩＰ（ＶｏＩＰ）呼び出しのようなＩＭＳサービスをサポートすることができる様々なネットワークエンティティを含むことができる。データネットワーク１８６は、インターネットのような公的ネットワーク、及び／または、私的ネットワーク、を含むことができる。ＰＳＡＰ１８８は、緊急呼び出し（例、警察、消防署、病院のサービス）に回答する責任があり、そして、ＩＭＳネットワーク１８４、ＬＲＦ１６２、及び／または他のネットワークと直接にまたは間接的に通信することができる。図１の様々なネットワークエンティティは、ホームパブリックランドモバイルネットワーク（Home Public Land Mobile Network ）（Ｈ−ＰＬＭＮ）またはアクセスされるＰＬＭＮ(Visited-PLMN)（Ｖ−ＰＬＭＮ）の一部であってもよい。
【００１７】
図１はまた、様々なネットワークエンティティ間のインタフェースを示す。下記のインタフェースは、ＬＴＥにおける制御プレーンソリューションをサポートするために定義づけられることができるまたは拡張される(enhanced)ことができる。
【００１８】
・ＭＭＥ１３０とＥ−ＳＭＬＣ１４０の間のＳＬｓインタフェース
・ＭＭＥ１３０とＧＭＬＣ１６０の間のＳＬｇインタフェース
・ＨＳＳ１５０とＧＭＬＣ１６０の間のＬｈインタフェース
ＨＳＳ１５０とＧＭＬＣ１６０の間でＬｈインタフェースは、ＧＭＬＣと、ＷＣＤＭＡ（Wideband Code Division Multiple Access）とＧＳＭ（登録商標）（Global System for Mobile Communications）におけるＨＬＲ／ＨＳＳとの間のＬｈインタフェースの拡張バージョンであってもよい。Ｌｈインタフェースは、ＨＳＳ１５０がＭＭＥアドレス、ＶＰＬＭＮ識別情報、及び／または他の情報をＧＭＬＣ１６０に対して提供することを可能にすることができる。ＳＬｇインタフェースは、ＧＭＬＣと、サービングＧＰＲＳサポートノード（ＳＧＳＮ）またはモバイル交換センタ（ＭＳＣ）のうちのいずれかと、の間のＬｇインタフェースと類似していてもよい。ＳＬｇインタフェースは、特定ＵＥのロケーションがＨ−ＧＭＬＣによってリクエストされているとき、Ｈ−ＧＭＬＣがＶ−ＧＭＬＣに対してＭＭＥアドレスを提供することを可能にすることができる。さらに、ＬＴＥにおける制御プレーンソリューションをサポートするために、ｅＮＢ１２０とＭＭＥ１３０との間のＳ１−ＭＭＥインタフェースは、新しいメッセージ及びパラメータの追加を通じて修正されることができる。ＵＥ１１０とｅＮＢ１２０の間のＬＴＥ−Ｕｕインタフェースはまた、新しいまたは修正されたポジショニングプロトコルの使用を通じて上層レベルで修正されることができる。
【００１９】
図１は、第１のネットワークアーキテクチャの具体的な設計を示しており、Ｅ−ＳＭＬＣは１４０ＭＭＥ１３０に接続されている。Ｅ−ＳＭＬＣ１４０とＭＭＥ１３０との間の接続は、イントラＭＭＥハンドオーバを除くインターｅＮＢのために、ＵＥ１１０のためのロケーションセッションを止め、再スタートする必要性を回避することができる。第１のネットワークアーキテクチャの他の変形もまた可能である。例えば、Ｅ−ＳＭＬＣ１４０およびＭＭＥ１３０は組み合わせられてもよい。Ｅ−ＳＭＬＣ１４０とｅＮＢ１２０との間のより効率的なシグナリングはまた、ＭＭＥ１３０をバイパスするようにサポートされることができる。
【００２０】
図２は、第２のネットワークアーキテクチャ１０２のブロック図を示しており、そしてそれはＬＴＥネットワークにも適している。第２のネットワークアーキテクチャ１０２では、ＭＭＥ１３０は、Ｅ−ＳＭＬＣ１４０、ＨＳＳ１５０およびＧＭＬＣ１６０と通信することができる。Ｅ−ＳＭＬＣ１４０とＨＳＳ１５０はまた、ＧＭＬＣ１６０と通信することができる。図２のネットワークエンティティは、図１について上記で記載された機能を実行することができる。
【００２１】
図２はまた、様々なネットワークエンティティ間のインタフェースを示す。下記のインタフェースは、ＬＴＥにおける制御プレーンソリューションをサポートするために定義づけられることができるまたは拡張されることができる。
【００２２】
・ＭＭＥ１３０とＥ−ＳＭＬＣ１４０の間のＳＬｓインタフェース、
・Ｅ−ＳＭＬＣ１４０とＧＭＬＣ１６０の間のＳＬｇインタフェース、
・ＭＭＥ１３０とＧＭＬＣ１６０の間のＳＬｇ＊インタフェース、
・ＨＳＳ１５０とＧＭＬＣ１６０の間のＬｈインタフェース。
【００２３】
ＳＬｇ＊インタフェースは、ＧＭＬＣと、ＳＧＳＮまたはＭＳＣのいずれかと、の間のＬｇインタフェースに類似していてもよく、Ｌｈインタフェースがサポートされる場合には回避されることができる。Ｅ−ＳＭＬＣ１４０とＧＭＬＣ１６０が論理上組み合わせられる場合、ＳＬｇおよびＳＬｇ＊インタフェースは回避されることができる。Ｓ１−ＭＭＥインタフェースとＬＴＥ−Ｕｕインタフェースは、制御プレーンソリューションをサポートするように修正されることができる。
【００２４】
図２は、ＭＭＥ１３０とＧＭＬＣ１６０に接続されているＥ−ＳＭＬＣ１４０を備えた、第２のネットワークアーキテクチャの具体的な設計を示す。Ｅ−ＳＭＬＣ１４０とＧＭＬＣ１６０との間の接続は、インターｅＮＢハンドオーバとインターＭＭＥリロケーションのために、ＵＥ１１０のためのロケーションセッションを止め、再スタートする必要性を回避することができる。第２のネットワークアーキテクチャの他の変形もまた可能である。例えば、Ｅ−ＳＭＬＣ１４０とＧＭＬＣ１６０は組み合わせられてもよく、Ｅ−ＳＭＬＣ１４０とＭＭＥ１３０は組み合わせられてもよい。Ｅ−ＳＭＬＣ１４０とｅＮＢ１２０との間のより効率的なシグナリングはまた、ＭＭＥ１３０をバイパスするためにサポートされることができる。
【００２５】
図３は、第３のネットワークアーキテクチャ１０４のブロック図を示しており、そしてそれはＬＴＥネットワークにも適している。第３のネットワークアーキテクチャ１０４では、Ｅ−ＳＭＬＣ１４０はｅＮＢ１２０と通信することができる。ＭＭＥ１３０は、ＨＳＳ１５０とＧＭＬＣ１６０と通信することができる。ＨＳＳ１５０はまた、ＧＭＬＣ１６０と通信することができる。図３のネットワークエンティティは、図１について上記で記載された機能を実行することができる。
【００２６】
図３はまた、様々なネットワークエンティティ間のインタフェースを示す。下記のインタフェースは、ＬＴＥにおける制御プレーンソリューションをサポートするために定義づけられることができるまたは拡張されることができる。
【００２７】
・ｅＮＢ１２０とＥ−ＳＭＬＣ１４０の間のＬＴＥ−Ｉｕｐｃインタフェース
・ＭＭＥ１３０とＧＭＬＣ１６０の間のＳＬｇインタフェース
・ＨＳＳ１５０とＧＭＬＣ１６０の間のＬｈインタフェース
ＬＴＥ−Ｉｕｐｃインタフェースは、ＷＣＤＭＡにおける無線ネットワークコントローラ（ＲＮＣ）とＳＡＳとの間でＩｕｐｃインタフェースと類似していてもよい。
【００２８】
図３は、第３のネットワークアーキテクチャの具体的な設計を示しており、Ｅ−ＳＭＬＣ１４０はｅＮＢ１２０に接続されている。Ｅ−ＳＭＬＣ１４０とｅＮＢ１２０の間の接続は、拡張されたＲＲＣベースのポジショニングの使用を可能にすることができる。第３のネットワークアーキテクチャの他の変形もまた可能である。
【００２９】
図１、２および３は、ロケーションサービスとポジショニングをサポートすることができる３つの例示的なネットワークアーキテクチャを示す。他のネットワークアーキテクチャはまた、ロケーションサービスとポジショニングをサポートするために使用されることができ、他の方法で結合されることができるネットワークエンティティを含むことができる。これらの様々なネットワークアーキテクチャはまた、図１〜３で示されないネットワークエンティティを含むことができる。図１−３のネットワークエンティティはまた、他の名称で参照されてもよい。例えば、Ｅ−ＳＭＬＣ１４０は、ロケーションセンタ、ポジショニングセンタ、ポジション決定エンティティ(Position Determination Entity)（ＰＤＥ）等と呼ばれることができ、及び／または、それらの機能を含むことができる。
【００３０】
様々な呼び出しフローは、ロケーションサービスとポジショニングをサポートするために定義されることができる。各呼び出しフローは、様々なネットワークエンティティ間で交換されたメッセージのシーケンスを含むことができる。図１−３で示されているように、異なるネットワークアーキテクチャは、異なるネットワークエンティティ間の通信をサポートすることができる。例えば、Ｅ−ＳＭＬＣ１４０は、図１ではＭＭＥ１３０のみと、図２ではＭＭＥ１３０とＧＭＬＣ１６０の両方と、図３ではｅＮＢ１２０のみと、通信することができる。したがって、呼び出しフローは、選択されたネットワークアーキテクチャに依存することができ、そしてそれは、あるネットワークエンティティ間の通信をサポートすることができる。明瞭にするために、下記の説明の多くは図１で示される第１のネットワークアーキテクチャのためになされており、ｅＮＢ１２０またはＧＭＬＣ１６０を除いて、Ｅ−ＳＭＬＣ１４０は、ＭＭＥ１４０と直接通信することができる。
【００３１】
図４Ａは、図１の第１のネットワークアーキテクチャに基づいて、ＵＥ１１０とＥ−ＳＭＬＣ１４０との間の通信のために、ＵＥ１１０、ｅＮＢ１２０、ＭＭＥ１３０、そしてＥ−ＳＭＬＣ１４０における例示的なプロトコルスタックを示す。ＵＥ１１０は、ＬＴＥポジショニングプロトコル（ＬＰＰ）を使用して、Ｅ−ＳＭＬＣ１４０と通信することができる。ＵＥ１１０では、ＬＰＰは、無線リソース制御（Radio Resource Control）（ＲＲＣ）、パケットデータコンバージェンスプロトコル（Packet Data Convergence Protocol）（ＰＤＣＰ）、無線リンク制御（Radio Link Control）（ＲＬＣ）、そして層２（Ｌ２）におけるメディウムアクセス制御（Medium Access Control）（ＭＡＣ）、そして層１（Ｌ１）におけるＥ−ＵＴＲＡエアリンク、上で動作することができる。ｅＮＢ１２０は、ＲＲＣ、ＰＤＣＰ、ＲＬＣ、ＭＡＣおよびＬ１を介して、ＵＥ１１０と通信することができる。ｅＮＢ１２０はまた、Ｓ１アプリケーションプロトコル（Ｓ１−ＡＰ）、ストリーム制御伝送プロトコル(Stream Control Transmission Protocol)（ＳＣＴＰ）、ＩＰ、Ｌ２およびＬ１を介して、ＭＭＥ１３０と通信することができる。ＭＭＥ１３０は、ＬＣＳアプリケーションプロトコル（ＬＣＳ−ＡＰ）、ＳＣＴＰ、ＩＰ、Ｌ２およびＬ１を介して、Ｅ−ＳＭＬＣ１４０と通信することができる。ＬＣＳ−ＡＰは、３ＧＰＰにおける、基地局システムアプリケーションパート−ロケーションサービス拡張(Base Station System Application Part - Location Services Extension)（ＢＳＳＡＰ−ＬＥ）、基地局システムロケーションサービス支援プロトコル(Base Station System Location Services Assistance Protocol)(ＢＳＳＬＡＰ)、または、無線接続ネットワークアプリケーションパート(Radio Access Network Application Part)(ＲＡＮＡＰ)の部分に機能的に類似していてもよい。
【００３２】
ＵＥ１１０は、Ｅ−ＳＭＬＣ１４０と、ＬＰＰメッセージを交換する（例えば、送信する及び／または受信する）ことができる。ＬＰＰメッセージは、ＵＥ１１０とｅＮＢ１２０との間の通信のためにＲＲＣメッセージにカプセル化されることができ、ｅＮＢ１２０とＭＭＥ１３０との間の通信のためのノンアクセスストラタム（Non-Access Stratum）（ＮＡＳ）トランスポートメッセージにカプセル化されることができ、そして、ＭＭＥとＥ−ＳＭＬＣ１４０との間の通信のためにＬＣＳ−ＡＰメッセージにカプセル化されることができる。ＲＲＣメッセージは、図４Ａのこれらのエンティティについて示されるプロトコルを用いて、ＵＥ１１０とｅＮＢ１２０との間で交換されることができる。ＮＡＳトランスポートメッセージは、図４Ａのこれらのエンティティについて示されるプロトコルを用いて、ｅＮＢ１２０とＭＭＥ１３０との間で交換されることができる。ＬＣＳ−ＡＰメッセージは、図４Ａのこれらのエンティティについて示されるプロトコルを用いて、ＭＭＥ１３０とＥ−ＳＭＬＣ１４０との間で交換されることができる。
【００３３】
図４Ｂは、図１の第１のネットワークアーキテクチャに基づいて、ｅＮＢ１２０とＥ−ＳＭＬＣ１４０との間の通信のために、ｅＮＢ１２０、ＭＭＥ１３０、そしてＥ−ＳＭＬＣ１４０における例示的なプロトコルスタックを示す。ｅＮＢ１２０は、ＬＰＰアネクス（ＬＰＰａ）プロトコルを介してＥ−ＳＭＬＣ１４０と通信することができ、そしてそのプロトコルは、ＵＥ１１０とＥ−ＳＭＬＣ１４０との間で使用されるＬＰＰに類似したシン・プロトコル（thin protocol）であってもよい。ＬＰＰａは、ｅＮＢ１２０とＭＭＥ１３０の間のＳ１−ＡＰ、ＳＣＴＰ、ＩＰ、Ｌ２およびＬ１、およびＭＭＥ１３０の上に、
ＭＭＥ１３０とＥ−ＳＭＬＣ１４０の間のＬＣＳ−ＡＰ、ＳＣＴＰ、ＩＰ、Ｌ２およびＬ１の上に常駐することができる。
【００３４】
図４Ａは、ＵＥ１１０とＥ−ＳＭＬＣ１４０との間の通信のためのプロトコルスタックを示す。図４Ｂは、ｅＮＢ１２０とＥ−ＳＭＬＣ１４０との間の通信のためのプロトコルスタックを示す。他のネットワークエンティティ間の通信はまた、適切なセットのプロトコルスタックによってサポートされることができる。例えば、ＵＥ１１０はＮＡＳを介してＭＭＥ１３０と通信することができる。ＮＡＳは、ＵＥ１１０とｅＮＢ１２０との間のＲＲＣ、ＰＤＣＰ、ＲＬＣ、ＭＡＣ、及びＬ１の上で、そして、ｅＮＢ１２０とＭＭＥ１３０との間のＳ１−ＡＰ、ＳＣＴＰ、ＩＰ、Ｌ２及びＬ１の上で、常駐することができる。他のプロトコルスタックはまた、上記で説明されている３つのネットワークアーキテクチャのそれぞれについての様々なネットワークエンティティ間の通信のために使用されることができる。ＬＰＰは、上述されているすべての３つのネットワークアーキテクチャについて、エンド・ツー・エンドで使用されることができる（例、ＵＥ１１０とＥ−ＳＭＬＣ１４０との間で）。
【００３５】
ＬＴＥの場合、ＭＡＣは３ＧＰＰ  ＴＳ  ３６．３２１において記載されており、ＲＬＣは３ＧＰＰ  ＴＳ  ３６．３２２において記載されており、ＰＤＣＰは３ＧＰＰ  ＴＳ  ３６．３２３において記載されており、ＲＲＣは３ＧＰＰ  ＴＳ  ３６．３３１において記載されており、そして、Ｓ１−ＡＰは、３ＧＰＰ  ＴＳ  ３６．４１３において記載されている。ＳＣＴＰはＲＦＣ２９６０において記載されており、ＩＰはＲＦＣ７９１および２４６０において記載されている。これらの様々な３ＧＰＰ  ＴＳ文書は、３ＧＰＰから公的に入手可能であり、これらの様々なＲＦＣは、インターネットエンジニアリングタスクフォース（ＩＥＴＦ）から公的に入手可能である。
【００３６】
図５は、図１で示される第１のネットワークアーキテクチャのためのモバイルターミネートのロケーションリクエスト(Mobile Terminated Location Request)（ＭＴ−ＬＲ）プロシージャについての呼び出しフロー５００の設計を示す。ＬＣＳクライアント１７０は、ＬＣＳサービスリクエストを送信するために、ＧＭＬＣ１６０とＨＳＳ１５０で、パケット交換（ＰＳ）と回路交換（ＣＳ）ドメインにおいて共通のＭＴ−ＬＲプロシージャをイニシエートすることができる（ステップ１）。ロケーションプロシージャ５１０は、ＬＣＳサービスリクエストに応じて、実行されることができる。
【００３７】
ロケーションプロシージャ５１０については、ＧＭＬＣ１６０は、ＭＭＥ１３０に対して、ＨＳＳ１５０によって示されることができるプロバイド加入者ロケーション(Provide Subscriber Location)（ＰＳＬ）メッセージを送信することができる。ＰＳＬメッセージは、リクエストされているロケーション情報のタイプ（例、現在のロケーション、速度等）、ＵＥ加入者のインターナショナルモバイル加入者識別情報（ＩＭＳＩ）、ＬＣＳのサービス品質（ＱｏＳ）情報（例、正確さ(accuracy)、レスポンスタイム等）、ＵＥ加入者のためのプライバシー関連動作等を含むことができる。ＧＭＬＣ１６０が別のＰＬＭＮまたは別の国に配置されている場合には、ＭＭＥ１３０は、ロケーションリクエストはこのＰＬＭＮからまたはこの国から許可されるということを認証することができ、そして、許可されない場合には、エラーレスポンスを戻すことができる。ＰＳＬメッセージがプライバシー関連の動作のインジケータを含む場合、ＭＭＥ１３０は要求されるプライバシー関連の動作を決定することができる。ＵＥ１１０がアイドル状態にある場合、ＭＭＥ１３０は、ＵＥ１１０のためのシグナリング接続を確立するために、そして、特定のｅＮＢ（例、ｅＮＢ１２０）をＵＥ１１０に割り当てるために、ネットワークトリガされたサービスリクエストプロシージャを実行することができる。ＰＳＬメッセージがＵＥ１１０は通知されるまたはプライバシーベリフィケーションで通知されるべきであるということを表示する場合には、ＭＭＥ１３０は、ロケーションリクエストをＵＥに通知することができ、そのプライバシー優先度をベリファイすることができる（ステップ４）。ステップ４は、ＵＥ１１０に対して、ロケーション通知呼び出しメッセージ(Location Notification Invoke message)を送信することを含むことができる。ＵＥ１１０は、ユーザが許可をグラントまたは保留するために待機することができ、ＭＭＥに対してロケーション通知リターン結果メッセージ(Location Notification Return Result message)を戻すことができる。
【００３８】
ＭＭＥ１３０は、Ｅ−ＳＭＬＣ１４０を選択することができ、Ｅ−ＳＭＬＣ１４０に対してロケーションリクエストメッセージ(Location Request message)を送信することができる（ステップ５）。ロケーションリクエストメッセージは、リクエストされているロケーション情報のタイプ、リクエストされるＬＣＳＱｏＳ、サービングｅＮＢの識別情報、ＵＥポジショニング機能、などを含むことができる。ＬＣＳＱｏＳ内のリクエストされるロケーション情報とロケーションの正確さはＭＭＥ１３０から受信されるパラメータ（例、ｅＮＢ識別情報）に基づいて満たされることができる場合には、Ｅ−ＳＭＬＣ１４０は、ロケーションレスポンスメッセージ(Location Response message)をすぐに送信することができる（図５に図示されず）。そうでない場合には、Ｅ−ＳＭＬＣ１４０は、使用する１以上のポジショニング方法を決定し、ポジショニング方法（単数または複数）のためのポジショニングプロシージャをインスティゲートすることができる（may instigate）（ステップ６）。Ｅ−ＳＭＬＣ１４０は、ポジショニングプロシージャから測定値を受信することができ、その測定値に基づいてＵＥ１１０についてのロケーション推定値をコンピュートすることができる。Ｅ−ＳＭＬＣ１４０が測定値を受信することに失敗した場合、それは、ＵＥ１１０についての近似ロケーション推定値を得るために、現在のｅＮＢ識別情報を使用することができる。Ｅ−ＳＭＬＣ１４０はまた、ＵＥ１１０から、ＵＥベースのポジショニング方法で得られることができるロケーション推定値を受信することができ、現在のｅＮＢロケーションでこのロケーション推定値の一致をベリファイすることができる。ロケーション推定値がリクエストされる正確さを満たさず、十分なレスポンス時間がまだ残っている場合には、Ｅ−ＳＭＬＣ１４０は、同じまたは異なるポジショニング方法を使用して別のポジショニングプロシージャをインスティゲートすることができる。縦軸のロケーション座標はリクエストされるが、Ｅ−ＳＭＬＣ１４０が横軸の座標のみを得る場合には、Ｅ−ＳＭＬＣ１４０は、横軸の座標に戻ることができる。
【００３９】
ステップ６のポジショニングプロシージャを完了したあとで、Ｅ−ＳＭＬＣ１４０は、ＭＭＥ１３０に対して、ロケーションレスポンスメッセージを送信することができる（ステップ７）。ロケーションレスポンスメッセージは、ポジショニングプロシージャから得られるＵＥ１１０についてのロケーション推定値、ロケーション推定値がリクエストされる正確さを満たすかどうかというインジケーション、ロケーション推定値を得るために使用されるポジショニング方法、ロケーション推定値が得られることができなかった場合の不成功の原因等を含むことができる。
【００４０】
その後で、ＭＭＥ１３０は、ＧＭＬＣ１６０に対して、リクエストされたロケーション情報を戻すことができる（ステップ８）。ＭＭＥ１３０は、（ｉ）ステップ４のプライバシーベリフィケーションについて、許可がＵＥ１１０から受信されない、またはユーザによってグラントされない場合、または、（ｉｉ）有効なロケーション推定値がステップ７におけるＥ−ＳＭＬＣ１４０から得られない場合、ＧＭＬＣ１６０に対してエラーレスポンスを戻すことができる。ＭＭＥ１３０は、許可される場合、また、有効なロケーション推定値が得られない場合、ＵＥ１１０の最後に知られたロケーションに戻ることができる。ＭＭＥ１３０は、チャージング情報(charging information)を記録することができる。ＰＳ及びＣＳドメインにおける共通ＭＴ−ＬＲプロシージャは、ＬＣＳクライアント１７０に対してロケーション情報を戻すように実行されることができる（ステップ９）。
【００４１】
ＵＥ１１０を用いた通知及びプライバシーベリフィケーションは、図５で示されているように、Ｅ−ＳＭＬＣ１４０に対してロケーションリクエストメッセージを送信する前に、実行されることができる。通知とプライバシーベリフィケーションはまた、同時に、あるいは、ロケーションリクエストメッセージを送信した後で、実行されることができる。これらの場合、ステップ６のロケーションプロシージャ５１０は、ＭＭＥ１３０によって停止されることができ、または、ＵＥプライバシー動作がＵＥ１１０またはユーザによってＭＴ−ＬＲプロシージャの拒絶に至る場合には、ポジショニングプロシージャから得られるロケーション推定値は、ＭＭＥ１３０によって廃棄されることができる。
【００４２】
図６は、図１で示される第１のネットワークアーキテクチャについてのモバイルオリジネートされるロケーションリクエスト(Mobile Originated Location Request）（ＭＯ−ＬＲ）プロシージャのための呼び出しフロー６００の設計を示す。ＵＥ１１０は、ｅＮＢ１２０に対して、ＲＲＣアップリンク情報（ＵＬＩｎｆｏ）トランスファメッセージの中のＭＯ−ＬＲリクエストメッセージを送信することができる（ステップ１）。ｅＮＢ１２０は、ＭＭＥ１３０に対して、ＮＡＳトランスポートメッセージの中のＭＯ−ＬＲリクエストメッセージを送ることができる（ステップ２）。ＭＭＥ１３０は、ＭＯ−ＬＲリクエストのためのＵＥ加入をベリファイすることができる。ＭＭＥ１３０は、その後で、Ｅ−ＳＭＬＣ１４０に対して、ロケーションリクエストメッセージを送信することができる（ステップ３）。ロケーションリクエストメッセージは、ＬＣＳＱｏＳ及び／または他の情報を含むことができる。Ｅ−ＳＭＬＣ１４０は、ＬＣＳＱｏＳに適切なＵＥ１１０でポジショニングプロシージャを実行することができる（ステップ４）。Ｅ−ＳＭＬＣ１４０は、そのあとで、ＭＭＥ１３０に結果として生じるロケーション情報（例えば、ＵＥ１１０についてのロケーション推定値）を戻すことができる。ＭＭＥ１３０は、ｅＮＢ１２０に対してＮＡＳトランスポートメッセージの中のＭＯ−ＬＲレスポンスメッセージにおいて、ロケーション情報（例、ロケーション推定値）を戻すことができる。ｅＮＢ１２０は、ＵＥ１１０に対して、ＲＲＣダウンリンク情報（ＤＬＩｎｆｏ）トランスファメッセージの中のＭＯ−ＬＲレスポンスメッセージにおいて、ロケーション情報を送ることができる（ステップ７）。
【００４３】
図６では示されていない、第３者へのＭＯ−ＬＲトランスファについて、ＭＭＥ１３０は、Ｖ−ＧＭＬＣに対して、ステップ５で得られたロケーション情報を送ることができる。ロケーション情報は、ＵＥ１１０のためのＨ−ＧＭＬＣとＲ−ＧＭＬＣとを介して、ＬＣＳクライアントに対して送られることができる。
【００４４】
図７は、上記で記載されるネットワークアーキテクチャのいずれについての緊急呼び出しのための呼び出しフロー７００の設計を示す。ＵＥ１１０はユーザから緊急呼び出しインボケーション(invocation)を検出することができ、まだアタッチされていない場合にはＥＰＳに対してアタッチすることができ、サービングゲートウェイ１８０とＰＤＮゲートウェイ１８２においてユーザプレーンのための適切なＩＰベアラを得ることができる（ステップ１）。緊急インジケーションは、ＭＭＥ１３０に緊急呼び出しが進行中であるということを知らせるために、アタッチまたはベアラ割り付けのために使用されることができる。ＵＥ１１０が緊急呼び出しを検出しない場合には（例、ダイアルされた緊急番号を認識しない）、ＩＭＳネットワーク１８４内のプロキシ呼び出しサーバ制御機能（Ｐ−ＣＳＣＦ）は、初期のリクエストを拒絶することができ、ＵＥ１１０に緊急ＩＰアクセスを最初に得て緊急登録を実行するように強制することができ、そしてそれは、新しい緊急ベアラ割り付けがＭＭＥ１３０を介して生じるであろうということを保証するであろう。
【００４５】
ステップ１のベアラセットアップを完了したあとで、ＵＥ１１０は、ＩＭＳネットワーク１８４において緊急ＣＳＣＦ（Ｅ−ＣＳＣＦ）に対して緊急呼び出しのためのセッションイニシエーションプロトコル（ＳＩＰ）ＩＮＶＩＴＥメッセージを送信することができる（ステップ２）。Ｅ−ＣＳＣＦは、ＬＲＦ１６２に対してロケーション及び／またはルーティングリクエストを送信することができ、そしてＬＲＦ１６２は、このリクエストをＧＭＬＣ１６０に対して送ることができる（ステップ３）。
【００４６】
ステップ１のＭＭＥ１３０から緊急アクセスまたは緊急ベアラをＵＥ１１０がリクエストした結果、ＭＭＥ１３０は、Ｅ−ＳＭＬＣ１４０を選択することができ、Ｅ−ＳＭＬＣ１４０に対してロケーションリクエストメッセージを送信することができる（ステップ４）。Ｅ−ＳＭＬＣ１４０は、使用する１以上のポジショニング方法を決定し、ポジショニング方法（単数または複数）のためのポジショニングプロシージャをインスティゲートすることができる。Ｅ−ＳＭＬＣ１４０、ＭＭＥ１３０、ｅＮＢ１２０、及び／またはＵＥ１１０は、ＵＥ１１０についてのロケーション情報を得るために、ポジショニングプロシージャを実行することができる（ステップ５）。例えば、拡張セル識別情報(enhanced cell identity)（Ｅ−ＣＩＤ）のようなネットワークベースのポジショニングプロシージャあるいは下記で説明されているポジショニングプロシージャは、ステップ５に使用されることができる。ポジショニングプロシージャを完了したあとで、Ｅ−ＳＭＬＣ１４０は、ＭＭＥ１３０に対して、ＵＥ１１０についてのロケーション推定値でロケーションレスポンスメッセージを送信することができる（ステップ６）。
【００４７】
ステップ６の後で、または、ステップ４−６が実行されない場合にはステップ１の後で、ＭＭＥ１３０は、ＧＭＬＣ１６０に対してロケーションレポートメッセージを送信することができ、そしてそれは、緊急呼び出しのためのロケーションをサポートするように指定されることができる（ステップ７）。ＭＭＥ１３０は、ＧＭＬＣ１６０のアドレスでプロビジョンされることができる。ロケーションレポートメッセージは、ＵＥ識別情報（例、ＩＭＳＩ）、ＭＭＥ１３０のＩＰアドレス、ＵＥについてのロケーション推定値（ステップ４−６が実行される場合）などを含むことができる。ＧＭＬＣ１６０は、ロケーションレポートメッセージを肯定応答することができる（ステップ８）。ステップ４−６が実行されない場合、または、ステップ４−６からのロケーション推定値が適切でない場合、そのときには、ＧＭＬＣ１６０は、例えば図５のロケーションプロシージャのような、ネットワークアーキテクチャに適用可能なロケーションプロシージャを使用してＵＥ１１０についてのロケーション情報を得ることができる（ステップ９）。ＧＭＬＣ１６０は、ＬＲＦ１６２に対してロケーション情報を戻すことができ、そしてそれは、ＰＳＡＰ１８８のためのルーティング情報を得るためにロケーション情報を使用することができる。ＬＲＦ１６２は、ＩＭＳネットワーク１８４内のＥ−ＣＳＣＦに対して、ロケーション情報、ＰＳＡＰルーティング情報、相関情報（例、ＥＳＱＫ）、及び／または他の情報を戻すことができる（ステップ１０）。Ｅ−ＣＳＣＦは、ＰＳＡＰ１８８に対して緊急呼び出しをルーティングすることができ、そして、ＬＲＦ１６２によって示されるＰＳＡＰ１８８に対してＥＳＱＫ（もし利用可能であれば）を送ることもできる。緊急呼び出し確立のリメインダー(remainder)は、ＰＳＡＰ１８８とＵＥ１１０及び他のネットワークエンティティ間で生じることができる。
【００４８】
ＰＳＡＰ１８８は、ＬＲＦ１６２に対してＵＥ１１０のより正確なロケーションのリクエストを送信することができ、そしてそれは、ＥＳＱＫを使用して決定されることができる（ステップ１３）。ＬＲＦ１６２は、ＧＭＬＣ１６０に対してリクエストを送ることができる。ＧＭＬＣ１６０は、ネットワークアーキテクチャに適用可能なポジショニングプロシージャ（例、図５のロケーションプロシージャ５１０）を使用してＵＥ１１０についてのロケーション情報を得ることができ、そして、ＬＲＦ１６２に対してロケーション情報を提供することができる（ステップ１４）。ＬＲＦ１６２は、ＰＳＡＰ１８８にロケーション情報を戻すことができる（ステップ１５）。
【００４９】
図８は、ＵＥ支援のまたはＵＥベースのポジショニングのための呼び出しフロー８００の設計を示しており、そしてそれは、図５の呼び出しフロー５００のステップ６、図６の呼び出しフロー６００のステップ４、図７の呼び出しフロー７００のステップ５などに使用されることができる。このポジショニングプロシージャは、ＵＥ支援のポジショニングおよびＵＥベースのポジショニング、そして支援データの配信、をサポートするために、Ｅ−ＳＭＬＣ１４０によって使用されることができる。一般に、これらのポジショニングサービスの１以上は、同じポジショニングプロシージャにおいてＵＥ１１０のために実行されることができる。
【００５０】
Ｅ−ＳＭＬＣ１４０は、ＭＭＥ１３０に対してポジショニングリクエストメッセージを送信することができる（ステップ１）。ポジショニングリクエストメッセージはＬＣＳ−ＡＰメッセージであってもよく、ＬＰＰの一部でありうるＬＰＰプロトコルデータユニット（ＰＤＵ）またはダウンリンクポジショニングメッセージを搬送することができる。下記の説明は、ＬＰＰ  ＰＤＵの代わりにダウンリンクポジショニングメッセージの使用を想定する。ダウンリンクポジショニングメッセージは、ＵＥ１１０からロケーション情報（例えば特定の測定値）をリクエストすること、支援データを提供すること、ＵＥ機能をクエリする、などが可能である。ＭＭＥ１３０は、サービングｅＮＢ１２０に対して、ＮＡＳトランスポートメッセージにおいてダウンリンクポジショニングメッセージを送ることができる（ステップ２）。ダウンリンクポジショニングメッセージのコンテンツは、ＭＭＥ１３０とｅＮＢ１２０の両方にトランスパレント(transparent)であってもよい。ＭＭＥ１３０は、ポジショニングリクエストメッセージのためのステート情報を保持せず、個別のトランザクションとしてステップ６でレスポンスを扱うことができる。ｅＮＢ１２０は、ＵＥ１１０に対して、ＲＲＣダウンリンク情報トランスファメッセージにおいてダウンリンクポジショニングメッセージを送ることができる（ステップ３）。
【００５１】
ＵＥ１１０は、ダウンリンクポジショニングメッセージにおいて提供される支援データ（もしあれば）を保存することができ、そして、ダウンリンクポジショニングメッセージによってリクエストされるときにいずれのポジショニング測定とロケーションコンピュテーション（もしあれば）を実行することができる（ステップ４）。ＵＥ１１０は、ｅＮＢ１２０に対して、ＲＲＣアップリンク情報トランスファメッセージにおいてアップリンクポジショニングメッセージ（またはＬＬＰ ＰＤＵ）を送信することができる（ステップ５）。アップリンクポジショニングメッセージは、リクエストされるロケーション情報（例、ＵＥ１１０によって行われる測定の情報）、ＵＥ機能のための情報、さらなる支援データのためのリクエストなどを含むことができる。ｅＮＢ１２０は、ＭＭＥ１３０に対して、ＮＡＳトランスポートメッセージにおいてアップリンクポジショニングメッセージを送ることができる（ステップ６）。ＭＭＥ１３０は、その後で、Ｅ−ＳＭＬＣ１４０に対して、ポジショニングレスポンスメッセージにおいてアップリンクポジショニングメッセージを送ることができる（ステップ７）。ステップ１〜７は、新しい支援データを送信するために、さらなるロケーション情報をリクエストするために、さらなるＵＥ機能をリクエストする等のために、繰り返される。
【００５２】
図９は、ネットワーク支援のまたはネットワークベースのポジショニングのための呼び出しフロー９００の設計を示しており、そしてそれは、図５の呼び出しフロー５００のステップ６、図６の呼び出しフロー６００のステップ４、図７の呼び出しフロー７００のステップ５などに使用されることができる。ネットワーク支援のおよびネットワークベースのポジショニングをサポートするために、このポジショニングプロシージャは、Ｅ−ＳＭＬＣ１４０によって使用されることができる。
【００５３】
Ｅ−ＳＭＬＣ１４０は、ＭＭＥ１３０に対して、ネットワークポジショニングリクエストメッセージを搬送しているポジショニングリクエストメッセージを送信することができる（ステップ１）。ネットワークポジショニングリクエストメッセージはＬＰＰａメッセージであってもよく、ポジショニングリクエストメッセージは、ＬＣＳ−ＡＰメッセージであってもよい。ネットワークポジショニングリクエストメッセージは、ＲＡＮ１２０からＵＥ１１０についてのロケーション情報をリクエストすることができ、ＲＡＮ機能をクエリすることができ、要求される測定値のタイプを定義するＲＡＮ１２０のためのパラメータを含むこと等ができる。ＭＭＥ１３０は、ＵＥ１１０のためのサービングｅＮＢ１２０に対して、ネットワークポジショニングリクエストメッセージを搬送しているロケーションリクエストメッセージを送信することができる（ステップ１）。ステップ２でリクエストされるように、ｅＮＢ１２０は、ＵＥ１１０についてのロケーション情報を得ることができる（ステップ３）。ｅＮＢ１２０は、ＭＭＥ１３０に対して、ネットワークポジショニングレスポンスメッセージを搬送しているロケーションレスポンスメッセージを戻すことができる（ステップ４）。ネットワークポジショニングレスポンスメッセージは、リクエストされるロケーション情報、セルグローバルアイデンティティ（ＣＧＩ）等を搬送することができる。ＭＭＥ１３０は、Ｅ−ＳＭＬＣ１４０に対して、ネットワークポジショニングレスポンスメッセージを搬送しているポジショニングレスポンスメッセージを戻すことができる（ステップ５）。ポジショニングレスポンスメッセージは、リクエストされるロケーション情報、ＣＧＩ、およびいずれのリクエストされるＲＡＮ機能を含むことができる。ステップ１〜５は、さらなるロケーション情報及び／またはＲＡＮ機能をリクエストするために、繰り返されてもよい。Ｅ−ＳＭＬＣ１４０は、ｅＮＢ１２０からの測定値に基づいて、ＵＥ１１０についてのロケーション推定値をコンピュートすることができる。
【００５４】
ここにおいて記載される制御プレーンソリューションはまた、様々な利点を提供することができる。第１に、制御プレーンソリューションは、ＧＰＲＳのような他の無線技術のためのソリューションと互換性を有してもよく、そしてそれは、ＧＳＭ、ＵＭＴＳ、及びＬＴＥのような異なる無線技術間でハンドオフされる緊急呼び出しのためのロケーションサポートを継続することを可能にすることができる。第２に、制御プレーンソリューションは、ｅＮＢ１２０におけるステートレスロケーションとＭＭＥ１３０におけるステートレスポジショニングプロシージャをサポートすることができる。ロケーション情報とロケーションアクティビティは、ＭＭＥとｅＮＢに対する影響を減らすために可能であれば、ＭＭＥ１３０とｅＮＢ１２０から秘密にすることができる。第３に、ＲＲＬＰまたはＲＲＣに類似したＵＥベースの及びＵＥ支援のポジショニングプロトコルがサポートされることができる。第４に、イントラＭＭＥ／インターｅＮＢハンドオーバに起因したロケーションにおける混乱（disruption）は、ＭＭＥ１３０にＥ−ＳＭＬＣ１４０と通信させることによって回避されることができる。第５に、制御プレーンソリューションは、インプリメンテーションを簡略化する、ＧＳＭとＵＭＴＳのために使用されたものと類似したポジショニング方法をサポートすることができる。第６に、ポジショニングは、ＵＥの明示的な関与またはサポートを要することなく可能である。ここにおいて記載される制御プレーンソリューションはまた、他の利点を提供することができる。
【００５５】
図１０は、ロケーションサーバまたは他の名称で呼ばれるＥ−ＳＭＬＣによるロケーションサービスとポジショニングをサポートするためのプロセス１０００の設計を示す。Ｅ−ＳＭＬＣは、ＭＭＥからロケーションリクエストを受信することができる（例、図５のステップ５、図６のステップ３、または図７のステップ４）（ブロック１０１２）。Ｅ−ＳＭＬＣは、ロケーションリクエストに応じてＵＥでポジショニングプロシージャを実行することができる（ブロック１０１４）。Ｅ−ＳＭＬＣは、ポジショニングプロシージャの後で、ＭＭＥに対して、ロケーションレスポンスを送信することができる（ブロック１０１６）。
【００５６】
一設計では、図８で示されるＵＥ支援またはＵＥベースのポジショニングプロシージャは、ブロック１０１４について実行されることができる。この設計では、Ｅ−ＳＭＬＣは、ＵＥに対して送るために、ＭＭＥに対してダウンリンクポジショニングメッセージを送信することができる。Ｅ−ＳＭＬＣは、ＵＥによって送信され、ＭＭＥによって送られるアップリンクポジショニングメッセージをその後で受信することができる。ダウンリンクポジショニングメッセージは、ＵＥからロケーション情報（例えば測定値、ロケーション推定値など）をリクエストすることができ、そして、さらに、ＵＥのための支援データ、ＵＥ機能のためのリクエスト、等を含むことができる。アップリンクポジショニングメッセージは、リクエストされるロケーション情報を含むことができる。ダウンリンクポジショニングメッセージは、第１のプロトコルのため（例、ＬＰＰ、図４Ａおよび８について説明される）であってもよく、第１のプロトコルより下の第２のプロトコル（例、ＬＣＳ−ＡＰ、また、図４Ａおよび８について説明される）のためのポジショニングリクエストメッセージにカプセル化されてもよい。アップリンクポジショニングメッセージはまた、第１のプロトコルのためであってもよく、第２のプロトコルのためのポジショニングレスポンスメッセージにカプセル化されてもよい。リクエストされるロケーション情報は測定値を備えることができ、Ｅ−ＳＭＬＣは、その測定値に基づいて、ＵＥベースのロケーション推定値をコンピュートすることができる。Ｅ−ＳＭＬＣは、ＭＭＥに対して、ロケーションレスポンスにおけるロケーション推定値を送信することができる。メッセージはまた、他の名称で参照されてもよい。
【００５７】
別の設計では、図９で示されるネットワークベースのポジショニングプロシージャは、ブロック１０１４について実行されることができる。この設計では、Ｅ−ＳＭＬＣは、ｅＮＢに対して送るために、ＭＭＥに対してネットワークポジショニングリクエストメッセージを送信することができる。Ｅ−ＳＭＬＣは、ｅＮＢによって送信され、ＭＭＥによって送られるネットワークポジショニングレスポンスメッセージをその後で受信することができる。ネットワークポジショニングリクエストメッセージは、ｅＮＢからロケーション情報をリクエストすることができ、ネットワークポジショニングレスポンスメッセージは、リクエストされるロケーション情報を含むことができる。ネットワークポジショニングリクエストメッセージは、第１のプロトコルのためであってもよく（例、図４Ｂおよび図９に記載されているＬＰＰａ）、第１のプロトコルより下の第２のプロトコル（例、図４Ｂ及び図９にも記載されるＬＣＳ−ＡＰ）のためのポジショニングリクエストメッセージにカプセル化されてもよい。ネットワークポジショニングレスポンスメッセージは、第１のプロトコルのためであってもよく、第２のプロトコルのためのポジショニングレスポンスメッセージにカプセル化されてもよい。メッセージはまた、他の名称で参照されてもよい。
【００５８】
図１１は、他の名称でも参照されるＭＭＥによってロケーションサービスとポジショニングをサポートするためのプロセス１１００の設計を示す。ＭＭＥは、ＵＥのためのロケーション情報についてのリクエストを受信することができる（ブロック１１１２）。このリクエストは、ＧＭＬＣからのプロバイド加入者ロケーションメッセージ（例、図５のステップ２）、ＭＯ−ＬＲリクエストメッセージ（例、図６のステップ２）、緊急アタッチまたは緊急ベアラセットアップの間に送信されたメッセージ（例、図７のステップ１）、ＬＣＳクライアントからのメッセージ等であってもよい。ＭＭＥは、ロケーション情報のためのリクエストを受信することに応じて、Ｅ−ＳＭＬＣに対してロケーションリクエストを送信することができる（ブロック１１１４）。ＭＭＥは、Ｅ−ＳＭＬＣとＵＥの間のポジショニングプロシージャを用いて支援することができ、そしてそれは、ＭＭＥからのロケーションリクエストに応答してＥ−ＳＭＬＣによってイニシエートされることができる（ブロック１１１６）。ＭＭＥは、ポジショニングプロシージャの後で、Ｅ−ＳＭＬＣによって送信されたロケーションレスポンスを受信することができる（ブロック１１１８）。ＭＭＥは、ロケーション情報のためのリクエストについてのレスポンスを送信することができる（ブロック１１２０）。このレスポンスは、ＵＥについてのロケーション推定値を含むことができ、ＧＭＬＣに対して送信されたプロバイド加入者ロケーションａｃｋメッセージ（例、図５のステップ８）、ＭＯ−ＬＲレスポンスメッセージ（例、図６のステップ６）などであることができる。
【００５９】
ＭＭＥは、ＵＥのためのシグナリング接続を確立するためにＵＥでネットワークトリガされたサービスリクエストプロシージャを実行することができる（例、図５のステップ３）。ＭＭＥはまた、Ｅ−ＳＭＬＣに対してロケーションリクエストを送信する前にＵＥで通知とプライバシーベリフィケーションを実行することができる（例、図５のステップ４）。
【００６０】
図８で示されている、ブロック１１１６の設計では、ＭＭＥは、ＵＥからロケーション情報をリクエストするために、Ｅ−ＳＭＬＣによって送信されるダウンリンクポジショニングメッセージを受信することができる。ＭＭＥは、ＵＥに対して、ダウンリンクポジショニングメッセージを送ることができる。ＭＭＥは、Ｅ−ＳＭＬＣに対してリクエストされるロケーション情報を戻すために、ＵＥによって送信されるアップリンクポジショニングメッセージをその後で受信することができる。ＭＭＥは、Ｅ−ＳＭＬＣに対して、アップリンクポジショニングメッセージを送ることができる。ＭＭＥは、ダウンリンクポジショニングメッセージのためのステート情報を保持しない(The MME may maintain no state information for the downlink positioning message)。ダウンリンクポジショニングメッセージは、より低い層における他のメッセージにおいて、例えばＥ−ＳＭＬＣによってポジショニングリクエストメッセージにおいて、ＭＭＥによってＮＡＳトランスポートメッセージにおいて、そして、ｅＮＢによってＲＲＣダウンリンク情報トランスファメッセージにカプセル化されることができる。アップリンクポジショニングメッセージはまた、より低い層における他のメッセージにおいて、例えばＵＥによってＲＲＣアップリンク情報トランスファメッセージにおいて、ｅＮＢによってＮＡＳトランスポートメッセージにおいて、そして、ＭＭＥによってポジショニングレスポンスメッセージにカプセル化されることができる。
【００６１】
図９で示されている、ブロック１１１６の別の設計では、ＭＭＥは、ｅＮＢからロケーション情報をリクエストするために、Ｅ−ＳＭＬＣによって送信されるネットワークポジショニングリクエストメッセージを受信することができる。ＭＭＥ１３０は、ｅＮＢに対して、ネットワークポジショニングリクエストメッセージを送ることができる。ＭＭＥは、Ｅ−ＳＭＬＣに対してリクエストされるロケーション情報を戻すために、ｅＮＢによって送信されるネットワークポジショニングレスポンスメッセージをその後で受信することができる。ＭＭＥは、Ｅ−ＳＭＬＣに対して、ネットワークポジショニングレスポンスメッセージを送ることができる。ネットワークポジショニングリクエストメッセージは、より低い層における他のメッセージにおいて、例えばＥ−ＳＭＬＣによってポジショニングリクエストメッセージにおいて、そして、ＭＭＥによってロケーションリクエストメッセージにカプセル化されることができる。ネットワークポジショニングレスポンスメッセージはまた、他のメッセージにおいて、例えばｅＮＢによってロケーションレスポンスメッセージにおいて、そして、ＭＭＥによってポジショニングレスポンスメッセージにカプセル化されることができる。
【００６２】
図１２は、他の名称でも参照されるＵＥによってロケーションサービスとポジショニングをサポートするためのプロセス１２００の設計を示す。ＵＥは、Ｅ−ＳＭＬＣでポジショニングプロシージャを実行することができ、ポジショニングプロシージャは、Ｅ−ＳＭＬＣに対してＭＭＥによって送信されるロケーションリクエストに応じてＥ−ＳＭＬＣによってイニシエートされている（ブロック１２１２）。ロケーションリクエストは、ＧＭＬＣ、ＬＣＳクライアント、またはＵＥによって送信されるＵＥについてのロケーション情報のためのリクエストに応じてＭＭＥによって送信されることができる。ＵＥはまた、緊急呼び出しをオリジネートするためにメッセージを送信することができ、ポジショニングプロシージャは緊急呼び出しのために実行されることができる。ＵＥは、ポジショニングプロシージャの前に、ポジショニングプロシージャの間に、ポジショニングプロシージャの後で、ＭＭＥで通知とプライバシーベリフィケーションを実行することができる。
【００６３】
図８で示されている、ブロック１２１２の設計では、ＵＥは、Ｅ−ＳＭＬＣによって送信され、ＵＥに対してＭＭＥによって送られるダウンリンクポジショニングメッセージを受信することができる。ＵＥは、Ｅ−ＳＭＬＣのほうへアップリンクポジショニングメッセージを送信することができ、そしてＭＭＥによって送られる。ダウンリンクポジショニングメッセージは、ＵＥからロケーション情報をリクエストすることができ、アップリンクポジショニングメッセージは、リクエストされるロケーション情報を含むことができる。ダウンリンク及びアップリンクポジショニングメッセージは、より低い層において、他のメッセージにカプセル化されることができる。
【００６４】
図１３は、ＵＥ１１０、ｅＮＢ／ＲＡＮ１２０、ＭＭＥ１３０およびＥ−ＳＭＬＣ１４０の設計のブロック図を示す。簡潔のために、図１３は、（ｉ）ＵＥ１１０のための、１以上のコントローラ／プロセッサ１３１０、メモリ１３１２および送信機／受信機(transmitter/receiver)（ＴＭＴＲ／ＲＣＶＲ）１３１４、（ｉｉ）ｅＮＢ／ＲＡＮ１２０のための、コントローラ／プロセッサ（単数または複数）１３２０、メモリ１３２２、送信機／受信機１３２４および通信（Ｃｏｍｍ）ユニット１３２６、（ｉｉｉ）ＭＭＥ１３０のための、コントローラ／プロセッサ（単数または複数）１３３０、メモリ１３３２、および通信ユニット１３３４、（ｉｖ）Ｅ−ＳＭＬＣ１４０のための、コントローラ／プロセッサ（単数または複数）１３４０、メモリ１３４２および通信ユニット１３４４、を示す。一般的に、各エンティティは、任意の数のコントローラ、プロセッサ、メモリ、トランシーバ、通信ユニット等を含むことができる。
【００６５】
ダウンリンク上で、ｅＮＢ１２０は、ＵＥに対して、そのサービスエリア内で、トラヒックデータ、メッセージ／シグナリング、およびパイロットを送信する(transmit)ことができる。これらの様々なタイプのデータは、プロセッサ（単数または複数）１３２０によって処理され、そして、ＵＥに対して送信されることができるダウンリンク信号を生成するために送信機１３２４によって条件づけられることができる。ＵＥ１１０では、ｅＮＢ１２０からのダウンリンク信号は、受信機１３１４によって受信され条件付けられ、そして、ロケーションサービス、ポジショニング、及び／または他のサービスについての様々なタイプの情報を得るためにプロセッサ（単数または複数）１３１０によって処理されることができる。例えば、プロセッサ（単数または複数）１３１０は、上述された呼び出しフローに使用されるメッセージを復号することができる。プロセッサ（単数または複数）１３１０はまた、図１１のプロセス１１００及び／またはここにおいて記載される技術についての他のプロセスを実行するまたは命令することができる。メモリ１３１２及び１３２２は、それぞれ、ＵＥ１１０とｅＮＢ１２０のための、プログラムコードとデータを保存することができる。
【００６６】
アップリンク上で、ＵＥは、ｅＮＢ１２０に対して、トラヒックデータ、メッセージ／シグナリング、およびパイロットを送信することができる。これらの様々なタイプのデータは、プロセッサ（単数または複数）１３１０によって処理され、そして、ｅＮＢ１２０に対して送信されることができるアップリンク信号を生成するために送信機１３１４によって条件づけられることができる。ｅＮＢ１２０で、ＵＥ１１０および他のＵＥからのアップリンク信号は、受信機１３２４によって受信され条件付けられ、そして、様々なタイプの情報、例えばデータ、メッセージ／シグナリングなどを得るためにプロセッサ（単数または複数）１３２０によってさらに処理されることができる。ｅＮＢ１２０は、通信ユニット１３２６を介して、他のネットワークエンティティと通信することができる。
【００６７】
ＭＭＥ１３０内で、プロセッサ（単数または複数）１３３０はロケーションサービスとポジショニングをサポートするために処理を実行することができ、メモリ１３３２はＭＭＥ１３０のためのプログラムコード及びデータを保存することができ、通信ユニット１３３４は、ＭＭＥ１３０が他のエンティティと通信することを可能にする。プロセッサ（単数または複数）１３３０は、上述された呼び出しフローにおけるＭＭＥ１３０のための処理を実行することができる。プロセッサ（単数または複数）１３３０はまた、図１１のプロセス１１００及び／またはここにおいて記載される技術についての他のプロセスを実行するまたは命令することができる。
【００６８】
Ｅ−ＳＭＬＣ１４０内で、プロセッサ（単数または複数）１３４０はロケーションサービスとポジショニングをサポートするために処理を実行することができ、メモリ１３４２はＥ−ＳＭＬＣ１４０のためのプログラムコード及びデータを保存することができ、通信ユニット１３４４は、Ｅ−ＳＭＬＣ１４０が他のエンティティと通信することを可能にする。プロセッサ（単数または複数）１３４０は、上述された呼び出しフローにおけるＥ−ＳＭＬＣ１４０のための処理を実行することができる。プロセッサ（単数または複数）１３４０はまた、図１０のプロセス１０００及び／またはここにおいて記載される技術についての他のプロセスを実行するまたは命令することができる。
【００６９】
当業者は、情報と信号が様々な異なる技術および技法のうちのいずれかを使用して表わされることができると理解するでしょう。例えば、上記の説明の全体にわたって参照されることができる、データ、命令、コマンド、情報、信号、ビット、シンボル、及びチップは、電圧、電流、電磁波、磁場あるいは磁粒子、光場あるいは光学粒子、あるいはそれらのいずれの組み合わせ、によって表わされることができる。
【００７０】
当業者は、ここにおける開示に関連して説明された、様々な説明のための論理ブロック、モジュール、回路、および、アルゴリズムステップは、電子ハードウェア、コンピュータソフトウェアあるいは両方の組合せとしてインプリメントされることができる、ということをさらに理解するであろう。ハードウェアとソフトウェアのこの互換性を明瞭に説明するために、様々な説明のためのコンポーネント、ブロック、モジュール、回路およびステップが、一般に、それらの機能性という観点から、上記に説明されてきた。そのような機能性が、ハードウェアあるいはソフトウェアとしてインプリメントされるかどうかは、特定のアプリケーションと全体のシステムに課された設計制約(design constraints)に依存する。熟練職人は、各特定のアプリケーションについての様々な方法で、説明された機能をインプリメントすることができるが、そのようなインプリメンテーションの決定は、本発明の範囲からの逸脱を生じさせるものとして解釈されるべきでない。
【００７１】
ここでの開示に関連して説明された様々な説明のための論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、あるいは他のプログラマブル論理デバイス、ディスクリートゲートあるいはトランジスタロジック、ディスクリートハードウェアコンポーネント、あるいは、ここに説明された機能を実行するように設計されたそれらのいずれの組み合わせ、でインプリメントされる、あるいは実行されることができる。汎用プロセッサは、マイクロプロセッサであってもよいが、代替として、プロセッサは、任意の従来のプロセッサ、コントローラ、マイクロコントローラ、あるいはステートマシン(state machine)であってもよい。プロセッサはまた、コンピューティングデバイス(computing devices)の組み合わせ、例えば、ＤＳＰとマイクロプロセッサとの組み合わせ、複数のマイクロプロセッサ、ＤＳＰコアと併用しての1以上のマイクロプロセッサ、あるいはいずれの他のそのような構成のもの、としてインプリメントされてもよい。
【００７２】
ここにおける開示に関連して記載された方法またはアルゴリズムのステップは、ハードウェアにおいて、プロセッサによって実行されたソフトウェアモジュールにおいて、あるいは２つの組み合わせにおいて直接具現化されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭあるいは当技術分野において知られている記憶媒体のいずれの他の形態、において常駐することができる。例示的な記憶媒体は、プロセッサに結合されるので、プロセッサは、記憶媒体から情報を読み取ることができ、また記憶媒体に情報を書き込むことができる。あるいは、記憶媒体は、プロセッサに一体化されてもよい。プロセッサと記憶メディアは、ＡＳＩＣにおいて常駐していてもよい。ＡＳＩＣは、ユーザ端末に常駐することができる。あるいは、プロセッサと記憶媒体は、ユーザ端末において、ディスクリートコンポーネントとして常駐していてもよい。
【００７３】
１つまたは複数の例示的な設計においては、記載された機能(functions)は、ハードウェア、ソフトウェア、ファームウェアあるいはそれらのいずれかの組み合わせにおいてインプリメントされることができる。ソフトウェアでインプリメントされる場合には、機能は、コンピュータ可読媒体上で、１つまたは複数の命令あるいはコードとして、記憶されてもよく、あるいは、送信されることができる。コンピュータ可読媒体は、ある場所から別の場所へのコンピュータプログラムのトランスファ(transfer)を容易にするいずれの媒体も含んでいる、コンピュータ記憶媒体(computer storage media)と通信媒体(communication media)の両方を含む。記憶媒体は、汎用コンピュータまたは専用コンピュータによってアクセスされることができる、いずれの利用可能な媒体であることができる。例として、また限定されないが、そのようなコンピュータ可読媒体は、ＲＡＭ、ＲＯＭ、ＥＥＰＲＯＭ、ＣＤ−ＲＯＭあるいは他の光学ディスクストレージ、磁気ディスクストレージあるいは他の磁気ストレージデバイス、あるいは、命令あるいはデータストラクチャの形態において望まれるプログラムコード手段を保存あるいは搬送するために使用されることができる、また、汎用または専用コンピュータ、または、汎用または専用プロセッサによってアクセスされることができる、任意の他の媒体も備えることができる。また、いずれの接続(connection)もコンピュータ可読メディア(computer-readable medium)と適切に名付けられる。例えば、ソフトウェアがウェブサイト、サーバ、あるいは、同軸ケーブル、光ファイバーケーブル、ツイストペア(twisted pair)、デジタル加入者ライン(digital subscriber line)(ＤＳＬ)、あるいは赤外線、無線、およびマイクロ波のような無線技術を使用している他の遠隔ソース、から送信される場合には、そのときには、同軸ケーブル、光ファイバーケーブル、ツイストペア、ＤＳＬ、あるいは赤外線、無線、およびマイクロ波のような無線技術は、媒体(medium)の定義に含まれている。ここに使用されているように、ディスク(disk)とディスク(disc)は、コンパクトディスク(compact disc)(ＣＤ)、レーザーディスク(登録商標)(laser disc)、光学ディスク(optical disc)、デジタル汎用ディスク(digital versatile disc)（ＤＶＤ）、フロッピー(登録商標)ディスク(disk)およびブルーレイディスク(blu-ray disc)を含んでおり、「ディスク(disks)」は、大抵、データを磁気で再生しているが、「ディスク(discs)」は、レーザーで光学的に再生する。上記の組み合わせはまた、コンピュータ可読媒体の範囲内に含まれるべきである。上記のものの組み合わせも、また、コンピュータ可読媒体の範囲内に含まれるべきである。
【００７４】
本開示の前述の記載は、いずれの当業者も本開示を行うまたは使用することを可能にするために提供されている。本開示に対する様々な修正は、当業者にとっては容易に明らかであろう、そして、ここにおいて定義された包括的な原理は、本開示の精神あるいは範囲から逸脱することなく、他の変形に適用されることができる。したがって、本開示は、ここにおいて記載される例および設計に限定されるようには意図されておらず、ここに開示される原理および新規な特徴に整合する最も広い範囲が与えられるべきである。
【００７５】
以下に他の実施形態を示す。
【００７６】
［ＣＬ１］
ロケーションサービスとポジショニングをサポートするための装置であって、
発展型サービングモバイルロケーションセンタ（Ｅ−ＳＭＬＣ）においてモビリティ管理エンティティ（ＭＭＥ）からロケーションリクエストを受信するための手段と、
前記ロケーションリクエストに応じてＥ−ＳＭＬＣとユーザ機器（ＵＥ）の間でポジショニングプロシージャを実行するための手段と、
前記ポジショニングプロシージャの後で前記ＭＭＥに対して前記Ｅ−ＳＭＬＣからのロケーションレスポンスを送信するための手段と、
を備える方法。
【００７７】
［ＣＬ２］
前記ポジショニングプロシージャを実行することは、
前記ＵＥに対して送るために前記ＭＭＥに対してダウンリンクポジショニングメッセージを送信すること、なお、前記ダウンリンクポジショニングメッセージは、前記ＵＥからロケーション情報をリクエストする；
前記ＵＥによって送信され、前記ＭＭＥによって送られるアップリンクポジショニングメッセージを受信すること、なお、前記アップリンクポジショニングメッセージは、前記リクエストされるロケーション情報を含んでいる；
を備える、ＣＬ１に記載の方法。
【００７８】
［ＣＬ３］
前記ダウンリンクポジショニングメッセージは、第１のプロトコルのためであり、前記第１のプロトコルより下の第２のプロトコルのためのポジショニングリクエストメッセージにカプセル化されており、前記アップリンクポジショニングメッセージは、前記第１のプロトコルのためであり、前記第２のプロトコルのためのポジショニングレスポンスメッセージにカプセル化される、ＣＬ２に記載の方法。
【００７９】
［ＣＬ４］
前記ロケーション情報に基づいて、前記ＵＥについてのロケーション推定値をコンピュートすること、
をさらに備え、前記ロケーションレスポンスは、前記ロケーション推定値を含む、ＣＬ２に記載の方法。
【００８０】
［ＣＬ５］
前記ダウンリンクポジショニングメッセージは、前記ＵＥのための支援データ、または、ＵＥ機能のためのリクエスト、または、両方をさらに含む、ＣＬ２に記載の方法。
【００８１】
［ＣＬ６］
前記ポジショニングプロシージャを実行することは、
発展型ノードＢ（ｅＮＢ）に対して送るために前記ＭＭＥに対してネットワークポジショニングリクエストメッセージを送信することと、なお、前記ネットワークポジショニングリクエストメッセージは、前記ｅＮＢからロケーション情報をリクエストする；
前記ｅＮＢによって送信され、前記ＭＭＥによって送られるネットワークポジショニングレスポンスメッセージを受信すること、なお、前記ネットワークポジショニングレスポンスメッセージは、前記リクエストされるロケーション情報を含んでいる；
を備える、ＣＬ１に記載の方法。
【００８２】
［ＣＬ７］
前記ネットワークポジショニングリクエストメッセージは、第１のプロトコルのためであり、前記第１のプロトコルより下の第２のプロトコルのためのポジショニングリクエストメッセージにカプセル化されており、前記ネットワークポジショニングレスポンスメッセージは、前記第１のプロトコルのためであり、前記第２のプロトコルのためのポジショニングレスポンスメッセージにカプセル化される、ＣＬ６に記載の方法。
【００８３】
［ＣＬ８］
ロケーションサービスとポジショニングをサポートするための装置であって、
発展型サービングモバイルロケーションセンタ（Ｅ−ＳＭＬＣ）においてモビリティ管理エンティティ（ＭＭＥ）からロケーションリクエストを受信するための手段と、
前記ロケーションリクエストに応じてＥ−ＳＭＬＣとユーザ機器（ＵＥ）の間でポジショニングプロシージャを実行するための手段と、
前記ポジショニングプロシージャの後で、前記ＭＭＥに対してＥ−ＳＭＬＣからのロケーションレスポンスを送信するための手段と、
を備える装置。
【００８４】
［ＣＬ９］
前記ポジショニングプロシージャを実行するための手段は、
前記ＵＥに対して送るために前記ＭＭＥに対してダウンリンクポジショニングメッセージを送信するための手段と、なお、前記ダウンリンクポジショニングメッセージは、前記ＵＥからロケーション情報をリクエストする；
前記ＵＥによって送信され、前記ＭＭＥによって送られるアップリンクポジショニングメッセージを受信するための手段と、なお、前記アップリンクポジショニングメッセージは、前記リクエストされるロケーション情報を含んでいる；
を備える、ＣＬ８に記載の装置。
【００８５】
［ＣＬ１０］
前記ポジショニングプロシージャを実行するための手段は、
前記発展型ノードＢ（ｅＮＢ）に対して送るために前記ＭＭＥに対してネットワークポジショニングリクエストメッセージを送信するための手段と、なお、前記ネットワークポジショニングリクエストメッセージは、前記ｅＮＢからロケーション情報をリクエストする；
前記ｅＮＢによって送信され、前記ＭＭＥによって送られるネットワークポジショニングレスポンスメッセージを受信するための手段と、なお、前記ネットワークポジショニングレスポンスメッセージは、前記リクエストされるロケーション情報を含んでいる；
を備える、ＣＬ８に記載の装置。
【００８６】
［ＣＬ１１］
ロケーションサービスとポジショニングをサポートするための装置であって、
発展型サービングモバイルロケーションセンタ（Ｅ−ＳＭＬＣ）においてモビリティ管理エンティティ（ＭＭＥ）からロケーションリクエストを受信するように、
前記ロケーションリクエストに応じてＥ−ＳＭＬＣとユーザ機器（ＵＥ）の間でポジショニングプロシージャを実行するように、
前記ポジショニングプロシージャの後で前記ＭＭＥに対してＥ−ＳＭＬＣからのロケーションレスポンスを送信するように、
構成された少なくとも１つのプロセッサ、を備える装置。
【００８７】
［ＣＬ１２］
前記少なくとも１つのプロセッサは、
前記ＵＥに対して送るために前記ＭＭＥに対してダウンリンクポジショニングメッセージを送信するように、なお、前記ダウンリンクポジショニングメッセージは、前記ＵＥからロケーション情報をリクエストする；
前記ＵＥによって送信され、前記ＭＭＥによって送られるアップリンクポジショニングメッセージを受信するように、なお、前記アップリンクポジショニングメッセージは、前記リクエストされるロケーション情報を含んでいる；
構成されている、ＣＬ１１に記載の装置。
【００８８】
［ＣＬ１３］
前記少なくとも１つのプロセッサは、
前記発展型ノードＢ（ｅＮＢ）に対して送るために前記ＭＭＥに対してネットワークポジショニングリクエストメッセージを送信するように、なお、前記ネットワークポジショニングリクエストメッセージは、前記ｅＮＢからロケーション情報をリクエストする；
前記ｅＮＢによって送信され、前記ＭＭＥによって送られるネットワークポジショニングレスポンスメッセージを受信するように、なお、前記ネットワークポジショニングレスポンスメッセージは、前記リクエストされるロケーション情報を含んでいる；
構成される、ＣＬ１１に記載の装置。
【００８９】
［ＣＬ１４］
コンピュータプログラムプロダクトであって、
コンピュータ可読媒体を備え、前記コンピュータ可読媒体は、
発展型サービングモバイルロケーションセンタ（Ｅ−ＳＭＬＣ）においてモビリティ管理エンティティ（ＭＭＥ）からロケーションリクエストを少なくとも１つのコンピュータに受信させるためのコードと、
前記ロケーションリクエストに応じて前記Ｅ−ＳＭＬＣとユーザ機器（ＵＥ）の間でポジショニングプロシージャを前記少なくとも１つのコンピュータに実行させるためのコードと、
前記ポジショニングプロシージャの後で前記ＭＭＥに対して前記Ｅ−ＳＭＬＣからのロケーションレスポンスを前記少なくとも１つのコンピュータに送信させるためのコードと、
を備える、コンピュータプログラムプロダクト。
【００９０】
［ＣＬ１５］
ロケーションサービスとポジショニングをサポートするための方法であって、
発展型サービングモバイルロケーションセンタ（Ｅ−ＳＭＬＣ）に対してモビリティ管理エンティティ（ＭＭＥ）からのロケーションリクエストを送信することと；
前記Ｅ−ＳＭＬＣとユーザ機器（ＵＥ）の間でポジショニングプロシージャを用いて支援することと、なお、前記ポジショニングプロシージャは、前記ＭＭＥからの前記ロケーションリクエストに応じて前記Ｅ−ＳＭＬＣによってイニシエートされている；
前記ポジショニングプロシージャの後で前記ＭＭＥに対して前記Ｅ−ＳＭＬＣによって送信されるロケーションレスポンスを受信することと；
を備えている方法。
【００９１】
［ＣＬ１６］
前記ポジショニングプロシージャを用いて支援することは、
前記ＵＥからロケーション情報をリクエストするために、前記Ｅ−ＳＭＬＣによって送信されるダウンリンクポジショニングメッセージを受信することと、
前記ＵＥに対して前記ＭＭＥからの前記ダウンリンクポジショニングメッセージを送ることと、
前記Ｅ−ＳＭＬＣに対して前記リクエストされるロケーション情報を戻すために、前記ＵＥによって送信されるアップリンクポジショニングメッセージを受信することと、
前記Ｅ−ＳＭＬＣに対して前記ＭＭＥからの前記アップリンクポジショニングメッセージを送ることと、
を備える、ＣＬ１５に記載の方法。
【００９２】
［ＣＬ１７］
前記ポジショニングプロシージャを用いて支援することは、前記ＭＭＥにおける前記ダウンリンクポジショニングメッセージのためのステート情報を保持しないことを備える、ＣＬ１６に記載の方法。
【００９３】
［ＣＬ１８］
前記ポジショニングプロシージャを用いて支援することは、
発展型ノードＢ（ｅＮＢ）からロケーション情報をリクエストするために、前記Ｅ−ＳＭＬＣによって送信されるネットワークポジショニングリクエストメッセージを受信することと、
前記ｅＮＢに対して前記ＭＭＥからの前記ネットワークポジショニングリクエストメッセージを送ることと、
前記Ｅ−ＳＭＬＣに対して前記リクエストされるロケーション情報を戻すために、前記ｅＮＢによって送信されるネットワークポジショニングレスポンスメッセージを受信することと、
前記Ｅ−ＳＭＬＣに対して前記ＭＭＥからの前記ネットワークポジショニングレスポンスメッセージを送ることと、
を備える、ＣＬ１５に記載の方法。
【００９４】
［ＣＬ１９］
ゲートウェイモバイルロケーションセンタ（ＧＭＬＣ）からプロバイド加入者ロケーションメッセージを受信すること、なお、前記ロケーションリクエストは、前記ＧＭＬＣからプロバイド加入者ロケーションメッセージを受信することに応じて、Ｅ−ＳＭＬＣに対して前記ＭＭＥによって送信される；
前記ロケーションレスポンスメッセージから前記ＵＥについてのロケーション推定値を得ること；
前記ＧＭＬＣに対して前記ＭＭＥからのプロバイド加入者ロケーション肯定応答メッセージを送信すること、なお、前記肯定応答メッセージは、前記ＵＥのための前記ロケーション推定値を含んでいる；
をさらに備えているＣＬ１５に記載の方法。
【００９５】
［ＣＬ２０］
前記Ｅ−ＳＭＬＣに対して前記ロケーションリクエストを送信する前に、前記ＵＥで通知及びプライバシーベリフィケーションを実行すること、
をさらに備えるＣＬ１５に記載の方法。
【００９６】
［ＣＬ２１］
前記ＵＥのためのシグナリング接続を確立するために前記ＵＥでネットワークトリガされたサービスリクエストプロシージャを実行すること、
をさらに備えるＣＬ１５に記載の方法。
【００９７】
［ＣＬ２２］
前記ポジショニングプロシージャから前記ＵＥについてのロケーション推定値を得ることと、なお、前記ポジショニングプロシージャは、前記ＵＥによってオリジネートされる緊急呼び出しのために実行される；
ゲートウェイモバイルロケーションセンタ（ＧＭＬＣ）に対して、前記ＵＥのための前記ロケーション推定値と前記ＭＭＥのアドレスとを備えているロケーションレポートを送信すること；
をさらに備えるＣＬ１５に記載の方法。
【００９８】
［ＣＬ２３］
前記ロケーションリクエストは、前記ＵＥからのロケーション情報についてのリクエストに応じて、前記ＭＭＥによって送信される、ＣＬ１５に記載の方法。
【００９９】
［ＣＬ２４］
前記ロケーションリクエストは、前記ＵＥのためのロケーション情報についてのロケーションサービス（ＬＣＳ）クライアントからのリクエストに応じて前記ＭＭＥによって送信される、ＣＬ１５に記載の方法。
【０１００】
［ＣＬ２５］
ロケーションサービスとポジショニングをサポートするための装置であって、
発展型サービングモバイルロケーションセンタ（Ｅ−ＳＭＬＣ）に対してモビリティ管理エンティティ（ＭＭＥ）からのロケーションリクエストを送信するための手段と；
前記Ｅ−ＳＭＬＣとユーザ機器（ＵＥ）の間でポジショニングプロシージャを用いて支援するための手段と、なお、前記ポジショニングプロシージャは、前記ＭＭＥからのロケーションリクエストに応じて前記Ｅ−ＳＭＬＣによってイニシエートされている；
前記ポジショニングプロシージャの後で前記ＭＭＥに対して前記Ｅ−ＳＭＬＣによって送信されるロケーションレスポンスを受信するための手段と；
を備える装置。
【０１０１】
［ＣＬ２６］
前記ポジショニングプロシージャを用いて支援するための手段は、
前記ＵＥからロケーション情報をリクエストするために、前記Ｅ−ＳＭＬＣによって送信されるダウンリンクポジショニングメッセージを受信するための手段と、
前記ＵＥに対して前記ＭＭＥからの前記ダウンリンクポジショニングメッセージを送るための手段と、
前記Ｅ−ＳＭＬＣに対して前記リクエストされるロケーション情報を戻すために、前記ＵＥによって送信されるアップリンクポジショニングメッセージを受信するための手段と、
前記Ｅ−ＳＭＬＣに対して前記ＭＭＥからの前記アップリンクポジショニングメッセージを送るための手段と、
を備えているＣＬ２５に記載の装置。
【０１０２】
［ＣＬ２７］
前記ポジショニングプロシージャを用いて支援するための手段は、
発展型ノードＢ（ｅＮＢ）からロケーション情報をリクエストするために、前記Ｅ−ＳＭＬＣによって送信されるネットワークポジショニングリクエストメッセージを受信するための手段と、
前記ｅＮＢに対して前記ＭＭＥからの前記ネットワークポジショニングリクエストメッセージを送るための手段と、
前記Ｅ−ＳＭＬＣに対して前記リクエストされるロケーション情報を戻すために、前記ｅＮＢによって送信されるネットワークポジショニングレスポンスメッセージを受信するための手段と、
前記Ｅ−ＳＭＬＣに対して前記ＭＭＥからの前記ネットワークポジショニングレスポンスメッセージを送るための手段と、
を備える、ＣＬ２５に記載の装置。
【０１０３】
［ＣＬ２８］
ゲートウェイモバイルロケーションセンタ（ＧＭＬＣ）からプロバイド加入者ロケーションメッセージを受信するための手段と、なお、前記ロケーションリクエストは、前記ＧＭＬＣからプロバイド加入者ロケーションメッセージを受信することに応じて、前記Ｅ−ＳＭＬＣに対して前記ＭＭＥによって送信される；
前記ロケーションレスポンスメッセージから前記ＵＥについてのロケーション推定値を得るための手段と；
前記ＧＭＬＣに対して前記ＭＭＥからのプロバイド加入者ロケーション肯定応答メッセージを送信するための手段と、前記肯定応答メッセージは、前記ＵＥのための前記ロケーション推定値を含んでいる；
をさらに備えているＣＬ２５に記載の装置。
【０１０４】
［ＣＬ２９］
ロケーションサービスとポジショニングをサポートするための方法であって、
ユーザ機器（ＵＥ）と発展型サービングモバイルロケーションセンタ（Ｅ−ＳＭＬＣ）との間でポジショニングプロシージャを実行するための手段、
を備え、前記ポジショニングプロシージャは、前記Ｅ−ＳＭＬＣに対してモビリティ管理エンティティ（ＭＭＥ）によって送信されるロケーションリクエストに応じて前記Ｅ−ＳＭＬＣによってイニシエートされている、方法。
【０１０５】
［ＣＬ３０］
前記ポジショニングプロシージャを実行することは、
前記Ｅ−ＳＭＬＣによって送信され前記ＵＥに対して前記ＭＭＥによって送られるダウンリンクポジショニングメッセージを受信することと、なお、前記ダウンリンクポジショニングメッセージは、前記ＵＥからロケーション情報をリクエストする；
前記ＵＥによってアップリンクポジショニングメッセージを送信し、前記Ｅ−ＳＭＬＣに対して前記ＭＭＥによって送ることと、なお、前記アップリンクポジショニングメッセージは、前記リクエストされるロケーション情報を含んでいる；
を備えている、ＣＬ２９に記載の方法。
【０１０６】
［ＣＬ３１］
前記ポジショニングプロシージャの前に、前記ＭＭＥで通知とプライバシーベリフィケーションとを実行すること、
をさらに備えているＣＬ２９に記載の方法。
【０１０７】
［ＣＬ３２］
緊急呼び出しをオリジネートするためにメッセージを送信すること、
をさらに備え、前記ポジショニングプロシージャは前記緊急呼び出しのために実行される、ＣＬ２９に記載の方法。
【０１０８】
［ＣＬ３３］
ロケーションサービスとポジショニングをサポートするための装置であって、
ユーザ機器（ＵＥ）と発展型サービングモバイルロケーションセンタ（Ｅ−ＳＭＬＣ）の間でポジショニングプロシージャを実行するための手段、
を備え、前記ポジショニングプロシージャは、前記Ｅ−ＳＭＬＣに対してモビリティ管理エンティティ（ＭＭＥ）によって送信されるロケーションリクエストに応じて前記Ｅ−ＳＭＬＣによってイニシエートされている、装置。
【０１０９】
［ＣＬ３４］
前記ポジショニングプロシージャを実行するための手段は、
前記Ｅ−ＳＭＬＣによって送信され、そして前記ＵＥに対して前記ＭＭＥによって送られるダウンリンクポジショニングメッセージを受信するための手段と、なお、前記ダウンリンクポジショニングメッセージは、前記ＵＥからロケーション情報をリクエストする；
前記ＵＥによってアップリンクポジショニングメッセージを送信し、前記Ｅ−ＳＭＬＣに対して前記ＭＭＥによって送るための手段と、なお、前記アップリンクポジショニングメッセージは、前記リクエストされるロケーション情報を含んでいる；
を備える、ＣＬ３３に記載の装置。
【０１１０】
［ＣＬ３５］
前記ポジショニングプロシージャの前に、前記ＭＭＥで通知とプライバシーベリフィケーションを実行するための手段、
をさらに備えているＣＬ３３に記載の装置。
【図１】
0005479622.tif 000002
【図２】
0005479622.tif 000003
【図３】
0005479622.tif 000004
【図４Ａ】
0005479622.tif 000005
【図４Ｂ】
0005479622.tif 000006
【図５】
0005479622.tif 000007
【図６】
0005479622.tif 000008
【図７】
0005479622.tif 000009
【図８】
0005479622.tif 000010
【図９】
0005479622.tif 000011
【図１０】
0005479622.tif 000012
【図１１】
0005479622.tif 000013
【図１２】
0005479622.tif 000014
【図１３】
0005479622.tif 000015